(57)【要約】【課題】装置本体の薄型化を図ると共に、スライダにかかる負荷を低減してスムーズなローディングを行うことができるイジェクト機構を提供する。【解決手段】固定部となるシャーシ９に回動可能に設けられ、記録媒体カートリッジ５を押圧して排出するイジェクトレバー１４７と、イジェクトレバー１４７を記録媒体カートリッジ５の排出方向に回動付勢する捻りコイルバネ１４８と、シャーシ９にスライド可能に支持され、イジェクトレバー１４７と係合することによりイジェクトレバー１４７の回動を規制するスライダ８とを備え、捻りコイルバネ１４８は、一端をシャーシ９に係止され、他端をイジェクトレバー１４７に係止されている。【選択図】図８
2005050463.tif 000002
【特許請求の範囲】
【請求項１】
固定部となるシャーシに回動可能に設けられ、記録媒体カートリッジを押圧して排出するイジェクトレバーと、
上記イジェクトレバーを上記記録媒体カートリッジの排出方向に回動付勢する捻りコイルバネと、
上記シャーシにスライド可能に支持され、上記イジェクトレバーと係合することにより上記イジェクトレバーの回動を規制するスライダとを備え、
上記捻りコイルバネは、一端を上記シャーシに係止され、他端を上記イジェクトレバーに係止されているイジェクト機構。
【請求項２】
上記イジェクトレバーは、上記スライダに転動自在に係合するローラが形成されていることを特徴とする請求項１記載のイジェクト機構。
【請求項３】
上記記録媒体カートリッジを保持するホルダと、
上記ホルダに保持された上記記録媒体カートリッジ内に収納された記録媒体を回転駆動する回転駆動機構及び上記記録媒体に対して情報信号の記録又は再生を行う記録再生機構が上記ホルダ側に形成されたベースとを備え、
上記ホルダ又はベースの少なくとも一方は、上記スライダにガイドされて他方に近接離間されることにより、上記記録媒体を上記回転駆動機構に着脱され、
上記イジェクトレバーは、上記ホルダ及びベースが離間された状態で上記ホルダ内に保持された上記記録媒体カートリッジを排出することを特徴とする請求項１記載のイジェクト機構。
【発明の詳細な説明】
【技術分野】
【０００１】
本発明は、情報記録媒体のローディング機構を備えた記録及び／又は再生装置のイジェクト機構に関する。
【背景技術】
【０００２】
従来より、光ディスク、光磁気ディスク等の情報記録媒体に対して情報信号の記録又は再生を行う記録及び／又は再生装置（以下、「記録再生装置」という。）がある。この種の記録再生装置３００は、情報記録媒体が収納されたカートリッジ３０１を保持するカートリッジホルダ３０２と、カートリッジホルダ３０２と対向配置され、カートリッジホルダ３０２に保持されたカートリッジ３０１内の情報記録媒体に対して情報信号の記録又は再生を行う光ピックアップ装置３０３と情報記録媒体を回転駆動する回転駆動機構３０４とがカートリッジホルダ３０２側に設けられたベースシャーシ３０５と、カートリッジホルダ３０２をベースシャーシ３０５に近接離間させることによりカートリッジ３０１のローディング又はアンローディングを行うスライダ３０６と、ベースシャーシ３０５上に設けられスライダ３０６のスライド操作に応じてカートリッジ３０１を排出するイジェクト機構３０７とを備える。
【０００３】
スライダ３０６には、カートリッジホルダ３０２に形成されたガイド凸部が摺動自在に係合され、カートリッジホルダ３０２をベースシャーシ３０５と近接離間させるように移動させるガイド溝が形成されている。ガイド溝は、上下方向に段差を設けて前後に形成され、カートリッジホルダ３０２を水平方向にガイドする上下水平ガイド部と、上下水平ガイド部間を連結する傾斜ガイド部とが連続して形成されてなる。そして、カートリッジホルダ３０２は、スライダ３０６が前後方向に亘ってスライドされると、ガイド凸部がガイド溝に沿って上下方向にガイドされることにより、ベースシャーシ３０５に近接離間される。これにより、ベースシャーシ３０５に保持されているカートリッジ３０１は、情報記録媒体がベースシャーシ３０５上に形成された回転駆動機構３０４に装着され、光ピックアップ装置３０３により情報信号の記録又は再生が行われる。また、カートリッジ３０１は、記録再生装置３００外へ排出されるときにはカートリッジホルダ３０２がベースシャーシ３０５より離間されることにより、排出位置まで移動される。
【０００４】
カートリッジ３０１を排出するイジェクト機構３０７は、図２４及び図２５に示すように、カートリッジホルダ３０２内に保持されているカートリッジ３０１をイジェクトするイジェクト部材３１０と、電動又は手動で移動されることによりイジェクト部材３１０の回動を制御するイジェクト操作部材３１１とを備える。
【０００５】
イジェクト部材３１０は、ベースシャーシ３０５の取付片３１２に回動可能に取り付けられる回動支点部３１４と、この回動支点部３１４から突出されスライダ３０６の被規制片３１５に係合される規制突部３１６と、回動支点部３１４から規制突部３１６と略直交する方向へ突出された突設部３１７と、この突設部３１７の先端から下方へ突出されカートリッジホルダ３０２に保持されたカートリッジ３０１を押圧しイジェクトするイジェクト部３１８とを有し、これらが一体的に形成されてなる。
【０００６】
規制突部３１６の先端縁は、スライダ３０６の被規制片３１５に接触される規制縁３１６ａとなっている。規制突部３１６の先端部には、下方へ突出してローラ３２０が回転自在に取り付けられている。このローラ３２０は、スライダ３０６がカートリッジホルダ３０２の後方に移動するときスライダ３０６の傾斜部３２１に当接し、スライダ３０６が円滑に移動できるようにする。突設部３１７の前縁には、バネ係止部３２２が設けられ、イジェクトバネ３２４の一端が係止される。このイジェクトバネ３２４は、他端がスライダ３０６のバネ係止部３２５に係止されることによりイジェクト部材３１０とスライダ３０６とを接続する。このイジェクトバネ３２４は、イジェクト部材３１０をカートリッジホルダ３０２に保持されたカートリッジ３０１をイジェクトする図２６中矢印Ｒ１方向に付勢すると共に、スライダ３０６を後方へ付勢している。また、スライダ３０６の被規制片３１５は、図２６中矢印Ｒ１方向における回動端に位置されているイジェクト部材３１０の規制突部３１６の規制縁３１６ａに当接され、スライダ３０６の後方側への移動を規制している。
【０００７】
なお、スライダ３０６は、図２７に示すように、このスライダ３０６のバネ係止片３２６とベースシャーシ３０５の側面部３０５ａのバネ係止片３２７との間には、イジェクトバネ３２４のバネ力より弱い補助用バネ３２８が張設され、これによってもスライダ３０６が後方へ付勢される。
【０００８】
また、イジェクト機構３０７を構成するイジェクト操作部材３１１は、図２７に示すように、ベースシャーシ３０５の側面部３０５ａに前後方向に移動可能に取り付けられている。イジェクト操作部材３１１には、前端よりの下縁に駆動ギヤと係合される係合片３３０が設けられ、駆動ギヤの回転に応じて前後方向に移動される。また、イジェクト操作部材３１１には、上縁にスライダ３０６と係合される押圧片３３１が設けられている。イジェクト操作部材３１１は、イジェクト操作部材３１１が前方に移動することにより、押圧片３３１によってスライダ３０６を押圧し、スライダ３０６をイジェクトバネ３２４及び補助用バネ３２８の付勢力に抗して前方へ移動させる。また、イジェクト操作部材３１１は、後側の上側にバネ係止部３３２が設けられ、一端がベースシャーシ３０５の側面部３０５ａに設けられたバネ係止部３３３に係止された付勢部材であるコイルバネ３３４の他端が係止されている。したがって、イジェクト操作部材３１１は、このコイルバネ３３４の付勢力によって後方側に移動されている。
【０００９】
このようなイジェクト機構３０７は、カートリッジ３０１がローディングされる前においては、図２８に示すように、イジェクトバネ３２４の付勢力によって図２８中矢印Ｒ１方向の回動端に位置されており、イジェクト部材３１０の規制突部３１６の規制縁３１６ａには、スライダ３０６の被規制片３１５が当接されており、これによって、スライダ３０６は、イジェクトバネ３２４及び補助用バネ３２８の付勢力に抗してカートリッジホルダ３０２の前方側に保持されている。また、イジェクト操作部材３１１は、図２７に示すように、コイルバネ３３４の付勢力によって後方側の移動端に保持されている。
【００１０】
次いで、カートリッジ３０１がカートリッジホルダ３０２内に挿入されると、イジェクト部材３１０は、挿入されたカートリッジ３０１によってイジェクト部３１８が後方へ押圧され、イジェクトバネ３２４の付勢力に抗して図２９中矢印Ｒ２方向へ回動される。
【００１１】
図２９に示すように、イジェクト部材３１０が図２９中矢印Ｒ２方向へ回動され規制縁３１６ａがスライダ３０６の被規制片３１５から外れると、イジェクトバネ３２４の付勢力によってスライダ３０６がカートリッジホルダ３０２の後方へ移動されていく。このとき、スライダ３０６は、バネ係止片３２６とベースシャーシ３０５の側面部３０５ａのバネ係止片３２７との間に張設された補助用バネ３２８によっても後方へ引っ張られるため、スライダ３０６が確実に後方側の移動端まで移動される。また、スライダ３０６が後方へ移動されるとき、図２９に示すように、イジェクト部材３１０のローラ３２０が傾斜部３２１を転動する。したがって、スライダ３０６は後方へ円滑に移動する。スライダ３０６が後方に移動されることにより、カートリッジホルダ３０２は、スライダ３０６のガイド溝にガイドされベースシャーシ３０５と近接され、情報記録媒体がベースシャーシ３０５上に形成された回転駆動機構にクランプされる。
【００１２】
次に、カートリッジ３０１をイジェクトするときの動作を説明する。イジェクト操作釦の操作を受けて駆動モータが駆動されると、イジェクト操作部材３１１は、駆動ギヤによってイジェクト操作部材３１１の係合片３３０が前方へ向けて押圧され、コイルバネ３３４の付勢力に抗して前方へ移動されていく。イジェクト操作部材３１１が前方へ移動されていくと、図３０に示すように、押圧片３３１によってスライダ３０６の被押圧片３３５が前方へ押圧され、スライダ３０６が前方へ移動されていく。
【００１３】
図２８に示すように、スライダ３０６の前方への移動に伴ってイジェクトバネ３２４が伸張され、イジェクト部材３１０の図２８中矢印Ｒ１方向への付勢力が増加していく。イジェクト部材３１０は、ローラ３２０がスライダ３０６の傾斜部３２１を転動してやや時計回り方向へ回動され、規制縁３１６ａと被規制片３１５が離れたところでイジェクトバネ３２４の付勢力によって、図２８中矢印Ｒ１方向へ回動される。このとき、カートリッジホルダ３０２はスライダ３０６のがイド溝にガイドされて挿脱位置まで移動されており、イジェクト部材３１０が図２８中矢印Ｒ１方向へ回動されることにより、イジェクト部３１８によってカートリッジ３０１の前面が前方へ押圧されカートリッジ３０１の一部がカートリッジホルダ３０２から排出される。
【００１４】
このような記録再生装置においては、図３１に示すように、イジェクト部材３１０を回動させるイジェクトバネ３２４が突設部３１７のバネ係止部３２２とスライダ３０６のバネ係止部３２５との間に亘って設けられ、また、イジェクト部材３１０がベースシャーシ３０５の取付片３１２に取り付けられていることから、スライダ３０６は、常時図中矢印Ｊで示すイジェクト部材３１０に向かう方向に引っ張られている。従って、スライダ３０６には、同図中矢印Ｋ方向への側圧が生じ、スライダ３０６に係合されているカートリッジホルダ３０２のベースシャーシ３０５に対する近接又は離間させる移動の負荷となりスムーズな移動を妨害してしまう。
【００１５】
【特許文献１】国際公開ＷＯ９７／４７００５号パンフレット
【発明の開示】
【発明が解決しようとする課題】
【００１６】
そこで、本発明は、装置本体の薄型化を図ると共に、スライダにかかる負荷を低減してスムーズなローディングを行うことができるイジェクト機構を提供することを目的とする。
【課題を解決するための手段】
【００１７】
上述した課題を解決するために、本発明に係るイジェクト機構は、固定部となるシャーシに回動可能に設けられ、記録媒体カートリッジを押圧して排出するイジェクトレバーと、上記イジェクトレバーを上記記録媒体カートリッジの排出方向に回動付勢する捻りコイルバネと、上記シャーシにスライド可能に支持され、上記イジェクトレバーと係合することにより上記イジェクトレバーの回動を規制するスライダとを備え、上記捻りコイルバネは、一端を上記シャーシに係止され、他端を上記イジェクトレバーに係止されている。
【発明の効果】
【００１８】
このようなイジェクト機構によれば、カートリッジ挿脱口側へ回動付勢する捻りコイルバネは、シャーシの主面部より折り曲げ形成されている取付片に突設された回動軸に挿通され、その高さもシャーシのガイド壁の高さ以下とされているため、装置全体の厚さに影響することがなく、装置本体の薄型化に資することができる。
【００１９】
また、イジェクト部材を回動付勢する捻りコイルバネは、一端をイジェクト部材に係止されると共に、他端をシャーシに係止されている。したがって、イジェクト部材を回動させる付勢力がシャーシとイジェクト部材との間に配設された捻りコイルバネによって発生しているため、イジェクト部材とスライダとの間に引っ張りコイルバネを架け渡す従来のイジェクト機構に比して、イジェクト部材は、スライダに加わる捻りコイルバネの負荷が低減され、スライダのスライド動作がスムーズに行われる。
【００２０】
さらに、イジェクト部材は、回動付勢方向とカートリッジの排出方向とが同方向とされるため、捻りコイルバネの付勢力を効率よくカートリッジに伝える。したがって、捻りコイルバネの力量を低減させることができ、イジェクト部材と係合するスライダに加わる負荷を低減させ、スムーズな移動を図ることができる。また、捻りコイルバネの力量を低減することにより、カートリッジの挿入時においてもカートリッジ本体によりイジェクト部材を押し込む力を低減でき、挿入感を向上させることができる。
【発明を実施するための最良の形態】
【００２１】
以下、本発明に係るイジェクト機構が適用された記録再生装置について、図面を参照しながら詳細に説明する。この記録再生装置１は、例えば光磁気ディスクに対して情報信号の記録及び再生を行うディスク記録再生装置であり、図１に示すように、全体が略矩形状に形成された装置本体２と、装置本体２内に配設される記録再生機構３とを備える。記録再生機構３は、記録再生装置１内に挿入された光磁気ディスク４のディスクカートリッジ５を保持するカートリッジホルダ６と、カートリッジホルダ６内に挿入されたディスクカートリッジ４の光磁気ディスク４が載置されるベースシャーシ７と、これらカートリッジホルダ６とベースシャーシ７を近接離間させるスライダー８及びガイドシャーシ９とを有する。
【００２２】
そして、この記録再生装置１は、パーソナルコンピュータ、ＰＤＡ、ＡＶ機器等の図示しない情報処理装置の装置本体に組み込まれ、当該情報処理装置との間でデータの送受信を行うことによりディスクカートリッジ５内に収納された光磁気ディスク４に対して情報信号の記録又は再生を行う。
【００２３】
ここで、この記録再生装置１に装着できるディスクカートリッジ５について図２を参照して説明する。このディスクカートリッジ５は、上下一対のハーフ１２，１３を突き合わせ結合して形成したカートリッジ本体１４内に楽音信号等の情報信号の記録を可能とする光磁気ディスク４を回転自在に収納している。カートリッジ本体１４の下面側の中央部には、このカートリッジ本体１４に収納した光磁気ディスク４の中心部に取り付けたマグネットにより磁気吸引が可能な磁性材料よりなるクランピングプレート１６を外方に臨ませる中央開口部１７が形成されている。また、カートリッジ本体１４の上下面の相対向する位置には、このカートリッジ本体１４に収納した光磁気ディスク４の主面に形成された信号記録領域の一部を内外周に亘って外方に臨ませる記録再生用開口部１８，１９が形成されている。これら記録再生用開口部１８，１９は、カートリッジ本体１４の左右方向の中央部に位置してカートリッジ本体１４の中央部近傍から一側面１４ａ側に亘って形成されている。
【００２４】
また、カートリッジ本体１４の一側面１４ａには、記録再生用開口部１８，１９を開閉するシャッタ部材２１が図２中矢印Ｂ方向及び反矢印Ｂ方向に移動可能に取り付けられている。シャッタ部材２１は、記録再生用開口部１８を閉塞する第１のシャッタ部２２と記録再生用開口部１９を閉塞する第２のシャッタ部２３と第１のシャッタ部２２と第２のシャッタ部２３とを連結する連結部２４とからなり、薄い金属板を断面コ字状に折り曲げて形成されている。カートリッジ本体１４の相対向する上下面の対向する位置には、記録再生用開口部１８，１９の周囲から背面１４ｃ側に亘ってシャッタ取付凹部２５が設けられており、シャッタ部材２１は、カートリッジ本体１４の一側面１４ａ側から嵌合するようにシャッタ取付凹部２５に取り付けられ、カートリッジ本体１４の一側面１４ａに沿って移動操作される。このシャッタ部材３０は、各記録再生用開口部１８，１９を閉塞した位置にあるとき、カートリッジ本体１４内に配設された図示しないシャッタロック部材によりロックされ移動が規制された状態にある。そして、シャッタ部材２１は、ディスクカートリッジ５が記録再生装置１に挿入されるとき、記録再生装置１側のシャッタ開放片によりシャッタロック部材によるロックが解除され、各記録再生用開口部１８，１９を開放する図２中矢印Ｂ方向に移動操作される。
【００２５】
また、カートリッジ本体１４の下面には、前面１４ｂ側と背面１４ｃ側に、記録再生装置１側の位置決めピン５３が係合される位置決め凹部２８，２９が設けられ、位置決め凹部２９は、記録再生装置１側の位置決め基準ピンが係合される基準孔となっている。
【００２６】
このように形成されたディスクカートリッジ５は、シャッタ部材２１の移動方向と直交する前面１４ｂを挿入端として、図２中矢印Ｃ方向から記録再生装置１に挿入される。すると、シャッタ部材２１は、図２中矢印Ｂ方向に移動され、記録再生用開口部１８，１９より光磁気ディスク４の一部を径方向に亘って外方に臨ませる。これと同時に、カートリッジ本体１４内に回転可能に収納された光磁気ディスク４は、記録再生装置１側のディスク回転駆動機構により磁気吸引され、回転される。そして、光磁気ディスク４は、一方の記録再生用開口部１８から記録再生装置１側の磁気ヘッド装置７１の先端部に設けられた磁気ヘッド部７３が進入し光磁気ディスク４に外部磁界を印加すると共に、記録再生装置１の光ピックアップ装置６４より出射された光ビームが他方の記録再生用開口部１９を介して光磁気ディスク４に照射されることで、情報信号の書き込みが行われる。
【００２７】
以上のようなディスクカートリッジ５を記録媒体に用いる記録再生装置１は、図１に示すように、ディスクカートリッジ５が装着され情報信号の記録再生を行う記録再生機構３と、この記録再生機構３が取り付けられる取付部材４２と、記録再生機構３が取り付けられた取付部材４２の上面を覆うカバー４３とを備え、取付部材４２とカバー４３とが突き合わせ結合されることにより装置本体２を構成する。
【００２８】
装置本体２の前面部を構成するカバー部材４３は、カートリッジ５が挿入される挿入用開口部４４が形成され、この挿入用開口部４４に後述するカートリッジホルダ６のカートリッジ挿脱口８９へカートリッジ５を導くエスカッション４５が設けられている。
【００２９】
この記録再生機構３は、図３及び図４に示すように、ディスクカートリッジ５が装着されるベースシャーシ７と、挿入されたディスクカートリッジ５を保持するカートリッジホルダ６とを備える。ベースシャーシ７とカートリッジホルダ６は、ディスクカートリッジ５を保持した状態で互いに近接離間するものであり、ディスクカートリッジ５が挿入されると、互いに近接する方向に移動し、カートリッジホルダ６が保持しているディスクカートリッジ５をベースシャーシ７に装着する。また、ベースシャーシ７とカートリッジホルダ６は、ベースシャーシ７に装着されているディスクカートリッジ５をイジェクトするとき、互いに離間する方向に移動する。
【００３０】
図４及び図５に示すように、ベースシャーシ７は、剛性の高い金属板を用いて平板な略矩形状に形成されている。このベースシャーシ７には、一方の主面部に、ディスクカートリッジ５が装着される装着部５２が設けられる。この装着部５２には、ディスクカートリッジ５を位置決めして装着できるように、ディスクカートリッジ５の位置決め凹部２９，２９ａに係合する位置決めピン５３，５３ａが突設されている。ディスクカートリッジ５は、位置決め凹部２９，２９ａを位置決めピン５３，５３ａに係合させることで、装着位置が位置決めされて装着部５２に装着される。
【００３１】
また、ベースシャーシ７の上面側には、装着部５２にディスクカートリッジ５が装着されたことを検出する図示しないカートリッジ検出スイッチが配設されている。カートリッジ検出スイッチは、カートリッジホルダ６がベースシャーシ７に近接したとき、カートリッジホルダ６によって押圧され、ディスクカートリッジ５が装着部５２に装着されたことを検出する。カートリッジ検出スイッチは、ベースシャーシ７の下面側に配設されるプリント配線基板２５６に実装され、ベースシャーシ７に設けられた開口部よりベースシャーシ７の上面側に突出されている。
【００３２】
ベースシャーシ７の略中央部には、図５に示すように、装着部５２に装着されたディスクカートリッジ５に収納された光磁気ディスク４を回転駆動するディスク回転駆動機構５９が取り付けられている。ディスク回転駆動機構５９は、スピンドルモータ６１とスピンドルモータ６１のスピンドル６２に一体に取り付けられるディスクテーブル６３とを備える。スピンドルモータ６１は、スピンドル６２をベースシャーシ７の上面側に突出させるようにしてベースシャーシ７の下面側に取り付けられている。ディスクテーブル６３は、ベースシャーシ７の上面側に突出されたスピンドル６２の先端側に一体的に取り付けられている。
【００３３】
ディスクカートリッジ５に収納された光磁気ディスク４は、ディスクカートリッジ５が装着部５２に装着されたとき、中央開口部１７よりカートリッジ本体１４内に進入したディスク回転駆動機構５９のディスクテーブル６３上に載置され、ディスクテーブル６３に内蔵されたマグネットによりクランピングプレート１６が吸引されることによってセンタリングが図られてディスクテーブル６３と一体に回転可能な状態にクランプされる。
【００３４】
また、ベースシャーシ７には、図５に示すように、ディスクテーブル６３と一体に回転駆動される光磁気ディスク４の信号記録領域を走査する光ビームを出射する光ピックアップ装置６４が取り付けられている。光ピックアップ装置６４は、光磁気ディスク４の信号記録領域を走査する光ビームを出射する光源である半導体レーザ、光磁気ディスク４から反射された戻りの光ビームを検出する光検出素子、半導体レーザから出射された光ビームと光ディスクから反射された戻りの光ビームを分離するビームスプリッタなどの光学素子を内蔵した光学ブロック６５と、半導体レーザから出射された光ビームを光磁気ディスク４の信号領域に収束させて照射する対物レンズ６６と、対物レンズ６６を介して光磁気ディスク４に照射される光ビームが光磁気ディスク４の信号記録領域に合焦されて照射されると共に光磁気ディスク４に形成された記録トラックに追従するように対物レンズ６６をこの対物レンズ６６の光軸方向及び光軸方向に直交する平面方向に駆動変位させる２軸アクチュエータとを備える。
【００３５】
光ピックアップ装置６４は、ベースシャーシ７に形成したピックアップ用開口部６７を介して対物レンズ６６をディスクテーブル６３上の光磁気ディスク４の主面に対向させるようにしてベースシャーシ７の下面側に配設されている。この光ピックアップ装置６４は、光学ブロック６５の一端側に設けた軸挿通孔をベースシャーシ７の下面側に取り付けたガイド軸６８にディスクテーブル６３に近接離間する方向に移動可能に支持されている。また、光学ブロック６５の他端には、ガイド軸６８と平行に設けられた送りねじ６９が挿通されている。送りねじ６９は、スレッド送りモータ７０により回転され、これにより、送りねじ６９に挿通された光ピックアップ装置６４は、光磁気ディスク４の径方向に送り操作される。
【００３６】
また、光学ブロック６５には、取付部材４２に配設されたプリント配線基板と接続されたフレキシブル回路基板７７が接続されている。光学ブロック６５は、フレキシブル回路基板７７を介して取付部材４２のプリント配線基板２５３に構成された制御部から駆動信号を受信して光磁気ディスク４の径方向に送り操作される。
【００３７】
図６に示すように、光ピックアップ装置６４の光学ブロック６５には、光ピックアップ装置６４と共同して光磁気ディスク４に情報信号を記録する磁気ヘッド装置７１が取り付けられている。この磁気ヘッド装置７１は、ディスク回転駆動機構５９によって回転駆動される光磁気ディスク４を挟んで光ピックアップ装置６４に対向して配置され、また、光磁気ディスク４の光ピックアップ装置６４から出射される光ビームが照射される位置に記録すべき情報信号に基づいて変調された外部磁界を印加するようになすため、光ピックアップ装置６４と同期して光磁気ディスク４の径方向に移動操作される。
【００３８】
この磁気ヘッド装置７１は、図６に示すように、連結部材７２を介して光ピックアップ装置６４の光学ブロック６５に連結されている。磁気ヘッド装置７１を光学ブロック６５に連結する連結部材７２は、剛性の高い金属板をコ字状に折り曲げて形成され、下端側が光学ブロック６５の下面側に固定され、上端側に磁気ヘッド装置７１が固定される。連結部材７２は、磁気ヘッド装置７１を、ディスクカートリッジ５を保持するカートリッジホルダ６の天板部８２上に臨むようにして、光ピックアップ装置６４と連結する。
【００３９】
光ピックアップ装置６４に連結された連結部材７２に支持される磁気ヘッド装置７１は、図３に示すように、光磁気ディスク４の信号記録面に摺接され移動操作されるスライダ内部に磁気ヘッド素子が内蔵された磁気ヘッド部７３と、この磁気ヘッド部７３が先端側に支持されたヘッド支持アーム７４と、ヘッド支持アーム７４の過剰な変位を規制するアーム支持板７５とを備える。
【００４０】
磁気ヘッド部７３を先端側で支持したヘッド支持アーム７４は、弾性を有する薄い金属板を打ち抜いて形成されている。磁気ヘッド部７３は、弾性変位可能なヘッド支持アーム７４の先端側に支持されることにより、光磁気ディスク４の信号記録領域を走査するとき、光磁気ディスク４が面振れを発生させて回転駆動されたときにも、ヘッド支持アーム７４が弾性変形することにより光磁気ディスク４の主面からの浮き上がりが防止され正確に信号記録領域を走査することができる。
【００４１】
以上のように光ピックアップ装置６４に連結部材７２を介して連結され、ディスク回転駆動機構５９によって回転される光磁気ディスク４を挟んで光ピックアップ装置６４に対向して配置される磁気ヘッド装置７１は、ヘッド支持アーム７４をカートリッジホルダ６の天板部８２上に延在させている。そして、ヘッド支持アーム７４の先端部に支持された磁気ヘッド部７３は、光磁気ディスク４に対し情報信号を記録するとき、光磁気ディスク４の信号記録領域に大きな磁界強度で外部磁界を印加するため、ヘッド昇降機構１０１により、光磁気ディスク４に摺接するように近接される。そして、ヘッド支持アーム７４の先端側に支持された磁気ヘッド部７３は、ベースシャーシ７上の装着部５２に装着されたディスクカートリッジ５のカートリッジ本体１４内に記録再生用開口部１８より進入し、カートリッジ本体１４内で回転駆動される光磁気ディスク４の主面に摺接する。
【００４２】
また、光磁気ディスク４に記録された情報信号の再生を行うときは、磁気ヘッド装置７１からの外部磁界の印加は不要とされ、光ピックアップ装置６４から出射される光ビームで光磁気ディスク４の信号記録領域を走査するのみで足りるので、磁気ヘッド部７３と光磁気ディスク４が摺接することにより発生する摩耗や摩耗に起因する損傷を防止するため、ヘッド昇降機構１０１により、磁気ヘッド部７３が光磁気ディスク４の主面から離間される。光磁気ディスク４の回転が停止された停止状態のときも、磁気ヘッド部７３が光磁気ディスク４の主面から離間され、ヘッド支持アーム７４は、カートリッジ本体１４の外方に移動される。更に、ディスクカートリッジ５をイジェクトする際、或いはディスクカートリッジ５を挿入操作する際にも、磁気ヘッド部７３がディスクカートリッジ５と衝突して損傷を受けることを防止するため、ヘッド支持アーム７４はカートリッジ本体１４の外方に移動される。このヘッド支持アーム７４を昇降操作するヘッド昇降機構１０１については後に詳述する。
【００４３】
また、ベースシャーシ７は、主面部に後述するガイドシャーシ９に配設されている駆動機構２２１のギア列２２４、第１及び第２の駆動ギヤ２２６，２２７及びＤＣモータ２２２が挿通される挿通開口７６が形成されている。挿通開口７６は、ガイドシャーシ９の主面部に配設されているギア列２２４、第１及び第２の駆動ギヤ２２６，２２７及びＤＣモータ２２２よりやや大きく開口されている。そして、挿通開口７６は、記録再生機構３内にディスクカートリッジ５が挿入されておらずベースシャーシ７がカートリッジホルダ６と離間された状態においては、ベースシャーシ７とガイドシャーシ９とが近接されるため、ギア列２２４、第１及び第２の駆動ギヤ２２６，２２７及びＤＣモータ２２２が挿通され、ベースシャーシ７の主面部上に臨まされる。また、挿通開口７６は、記録再生機構３内にディスクカートリッジ５が挿入されベースシャーシ７がカートリッジホルダ６と近接されると、ガイドシャーシ９より上昇し、ギア列２２４、第１及び第２の駆動ギヤ２２６，２２７及びＤＣモータ２２２が下面側に下降され、ベースシャーシ７の主面部上より退避される。したがってベースシャーシ７は、ディスクカートリッジ５を駆動ギヤ２２６，２２７やＤＣモータ２２２と干渉させることなく、装着部５２に装着することができる。
【００４４】
このように、ディスクカートリッジ５が挿入されていない状態では、ベースシャーシ７がガイドシャーシ９側に下降されてガイドシャーシ９に配設された駆動機構２２１がベースシャーシ７の装着部５２上に臨まされ、ディスクカートリッジ５が挿入されると、ベースシャーシ７がガイドシャーシ９より上昇され、ガイドシャーシ９に配設された駆動機構２２１がベースシャーシ７の装着部５２上より退避されるよう構成されているため、記録再生装置１は、駆動機構２２１が備える高さ分のクリアランスを、常時ガイドシャーシ９とベースシャーシ７との間に設ける必要はなく、装置本体２の薄型化を図ることができる。
【００４５】
また、ベースシャーシ７は、ディスクカートリッジ５の挿通方向と直交する方向の両側縁より側壁７８，７８が立ち上がり形成されている。この側壁７８，７８は、それぞれ前後に離間して後述するスライダ８に形成されたベースガイド溝１３９，１４０に挿通されるガイド軸７９，８０が形成されている。ベースシャーシ７は、ガイド軸７９，８０がスライダ８のベースガイド溝１３９，１４０にガイドされることにより上下方向に移動され、カートリッジホルダ６と近接離間される。
【００４６】
次いで、ディスクカートリッジ５を装着部５２にローディングするカートリッジホルダ６について説明する。
【００４７】
このカートリッジホルダ６は、図４及び図７に示すように、ステンレス等のバネ弾性を有する薄い金属板を折り曲げて形成され、ディスクカートリッジ５を収納保持するに足る大きさに形成されている。このカートリッジホルダ６は、ディスクカートリッジ５の上面側を覆うに足る大きさを有する略矩形状に形成された天板部８２を有し、天板部８２の相対向する両側に、このカートリッジホルダ６の挿入されるディスクカートリッジ５の両側を支持する第１及び第２のカートリッジ保持部８３，８４が設けられている。これら第１及び第２のカートリッジ保持部８３，８４は、天板部８２の両側を垂直に折り曲げて形成されたカートリッジホルダ６の側壁８５，８６と、これら側壁８５，８６の先端側を天板部８２と平行となるように折り曲げて形成されたカートリッジ支持片８７，８８とから構成されている。
【００４８】
カートリッジホルダ６は、第１及び第２のカートリッジ保持部８３，８４が形成された両側に直交する前面６ａ側の第１及び第２のカートリッジ保持部８３，８４との間の開放された部分がカートリッジ挿脱口８９となされ、このカートリッジ挿脱口８９を介してディスクカートリッジ５が第１及び第２のカートリッジ保持部８３，８４間に挿入される。このとき、ディスクカートリッジ５は、前面１４ｂを挿入端としてカートリッジ挿脱口８９よりカートリッジホルダ６内に挿入され、シャッタ部材２１が取り付けられた一側面１４ａ側と、この一側面１４ａに対向する他側面側が第１及び第２のカートリッジ保持部８３，８４に支持される。
【００４９】
なお、カートリッジホルダ６の第１のカートリッジ保持部８３を構成する側壁８６の長手方向の略中央部には、ディスクカートリッジ５の一側面１４ａ側に形成したシャッタ開放部材進入溝に進入し、シャッタロック部材を弾性変形させてシャッタ部材２１のロックを解除するとともに、シャッタ部材２１を図２中矢印Ｂ方向に移動させて記録再生用開口部１８，１９を開放するシャッタ開放片９２がカートリッジホルダ６の内方に向かって折り返し形成されている。
【００５０】
また、側壁８６のシャッタ開放片９２が設けられた位置よりカートリッジ挿脱口８９側の位置には、シャッタ部材２１をディスクカートリッジ５の記録再生用開口部１８，１９を開放した位置に保持すると共に、ディスクカートリッジ５をカートリッジホルダ６からイジェクトする際、カートリッジホルダ６から突出される方向に移動されるカートリッジ本体１４に対しシャッタ部材２１を保持し、シャッタ部材２１を記録用開口部１８，１９を閉塞する方向に移動させるシャッタ保持片９３が設けられている。このシャッタ保持片９３は、側壁８６にＵ字状の切り込みを穿設することによって側壁８６に一体に形成されている。シャッタ保持片９３は、側壁８６の基端部から先端部側に向かって延長するように形成され、先端部側にシャッタ部材２１の係合孔に係合する係合突部が形成されている。係合突部は、シャッタ保持片９３の先端部側の一部をカートリッジホルダ６の内方に突出するように折り曲げて形成されている。
【００５１】
また側壁８５，８６には、前後に離間してそれぞれスライダ８に形成されたホルダガイド溝１３７，１３８に係合されるガイド突部９８，９９が突設されている。カートリッジホルダ６は、ガイド突部９８，９９がスライダ８のホルダガイド溝１３７，１３８にガイドされることにより、ベースシャーシ７と近接離間される。
【００５２】
カートリッジホルダ６の天板部８２には、カートリッジホルダ６に挿入されるディスクカートリッジ５の挿入端側の上面を押圧支持するカートリッジ押圧片９５が一体に形成されている。カートリッジ押圧片９５は、天板部８２にＵ字状の切り込みを穿設することによって、ディスクカートリッジ５のカートリッジホルダ６への挿入方向に向かって延長するように天板部８２と一体に形成されている。カートリッジ押圧片９５は、カートリッジホルダ６に挿入されたディスクカートリッジ５をカートリッジホルダ６の内方に押圧するように、先端側がカートリッジホルダ６の内方に突出するように変位されている。カートリッジ押圧片９５の先端側には、カートリッジホルダ６の内方に向かって突出する突出部が設けられている。このカートリッジ押圧片９５は、ディスクカートリッジ５をカートリッジ支持片８７，８８からの浮き上がりを防止して安定した状態でカートリッジホルダ６に挿入させる。またカートリッジ押圧片９５は、カートリッジホルダ６がベースシャーシ７に近接した位置にあるとき、カートリッジホルダ６に保持されたディスクカートリッジ５を装着部５２側に押圧する。
【００５３】
また、カートリッジホルダ６の天板部８２には、上述した磁気ヘッド装置７１の磁気ヘッド部７３がカートリッジホルダ６内に進入されるヘッド挿入用開口部９６が形成されている。ヘッド挿入用開口部９６は、カートリッジホルダ６内に挿入されたディスクカートリッジ５の記録再生用開口部１８上に対応して形成され、シャッタ開放片９２によってシャッタ部材２１が移動されることにより開放された記録再生用開口部１８及び磁気ディスク４の径方向に亘る一部を天板部８２より外方に臨ませる。
【００５４】
以上のようなカートリッジホルダ６の天板部８２には、操作モードに応じて磁気ヘッド部７３を光磁気ディスク４に近接離間させるため、ヘッド支持アーム７４を昇降操作させるヘッド昇降機構１０１が設けられている。このヘッド昇降機構１０１は、図７及び図８に示すように、カートリッジホルダ６の天板部８２上に回動可能に支持されてヘッド支持アーム７４を昇降操作する昇降操作部材１０２と、昇降操作部材１０２を回動操作する操作レバー１０３とを備える。
【００５５】
昇降操作部材１０２は、ヘッド支持アーム７４の下面側に位置してヘッド支持アーム７４を回動操作する略矩形状の回動操作板１０４を有し、この回動操作板１０４のヘッド支持アーム７４の延設方向と直交する方向の両側に一対の支持アーム１０５，１０５が形成されている。支持アーム１０５，１０５は、磁気ヘッド装置７１のヘッド支持アーム７４の延設方向と平行に延設され、主面部に当該支持アーム１０５，１０５の延設方向に伸びる長孔１０５ａが形成され、天板部８２より突設された固定軸１０６が摺動自在に係合されている。支持アーム１０５，１０５は、長孔１０５ａが固定軸１０６を摺動しながら長孔１０５ａの形成方向に沿って移動可能とされている。したがって、回動操作板１０４は、支持アーム１０５，１０５の延設方向、すなわち磁気ヘッド装置７１のヘッド支持アーム７４の延設方向に移動可能とされている。
【００５６】
また、昇降操作部材１０２は、回動操作板１０４が天板部８２に設けられたヘッド挿入用開口部９６に掛け渡すように配設されるとともに、カートリッジホルダ６の背面６ｂ側側縁よりヘッド挿入用開口部９６に張り出して配設されている。回動操作板１０４は、前面６ａ側側縁がカートリッジホルダ６内側に下がった段差部１０４ａが形成されている。この回動操作板１０４は、支持アーム１０５，１０５が延設方向に移動されることにより、ヘッド挿入用開口部９６上を移動する。
【００５７】
この回動操作板１０４は、上面に磁気ヘッド装置７１のアーム支持板７５及びヘッド支持アーム７４が延設されている。そして、回動操作板１０４の段差部１０４ａがヘッド支持アーム７４を支持することにより磁気ヘッド部７３をカートリッジホルダ６のヘッド挿入用開口部９６上に保持している。
【００５８】
カートリッジホルダ６の天板部８２には、昇降操作部材１０２を操作する操作レバー１０３が磁気ヘッド装置７１のヘッド支持アーム７４の延設方向と同じ前後方向へ回動可能に取り付けられている。操作レバー１０３は、先端部が側壁８５側に延在される操作突部１１４と、この操作突部１１４から昇降操作部材１０２側に延在されるアーム部１１５と、操作突部１１４とアーム部１１５との間に設けられ操作レバー１０３を回動可能に支持する回動支持部１１６とが一体的に形成されている。
【００５９】
操作突部１１４は、第２のカートリッジ保持部８４側に延在され、先端部を後述する昇降レバー２０２に狭持されている。アーム部１１５は、上記昇降操作部材１０２の支持アーム１０５と固定軸１１７によって回動可能に接続されている。この操作レバー１０３は、固定軸によって回動可能とされた回動支持部１１６を中心にカートリッジホルダ６の前後方向に回動可能とされている。そして、操作レバー１０３は、操作突部１１４が後述する昇降レバー２０２によって前後方向にスライドされると、回動支持部１１６を介してアーム部１１５が回動され、アーム部１１５と接続されている昇降操作部材１０２を前後方向に操作する。
【００６０】
具体的に、カートリッジホルダ６内に挿入されたディスクカートリッジ５の光磁気ディスク４に情報信号の記録を行う場合には、駆動レバー１８１及び昇降レバー２０２によって操作突部１１４が図８中矢印Ｄ方向に移動される。操作レバー１０３は操作突部１１４が移動されると回動支持部１１６を介してアーム部１１５がカートリッジホルダ６の背面６ｂ側に回動される。これにより、アーム部１１５の先端部に接続されている回動操作部材１０２の支持アーム１０５及び回動操作板１０４も背面６ｂ側に移動される。回動操作板１０４が背面６ｂ側に移動されることにより、段差部１０４ａに支持されていたヘッド支持アーム７４は下方に撓み、先端部に設けられた磁気ヘッド部７３が光磁気ディスク４と摺接される。
【００６１】
また、光磁気ディスク４に対して情報信号の記録を行わない場合には、駆動レバー１８１及び昇降レバー２０２によって操作突部１１４が図８中反矢印Ｄ方向に移動され、アーム部１１５がカートリッジホルダ６の前面６ａ側に回動される。これにより、回動操作部材１０２の支持アーム１０５及び回動操作板１０４も前面６ａ側に移動され、段差部１０４ａによってヘッド支持アーム７４が支持されるため、光磁気ディスク４と摺接されている磁気ヘッド部７３がヘッド挿入用開口部９６上に上昇される。
【００６２】
カートリッジホルダ６には、図４及び図７に示すように、スライダ８が前後方向へ移動自在に支持されている。スライダ８は、左右に長い連結部１２５とこの連結部１２５の左右両端部からそれぞれ後方へ突出された延設部１２６，１２７とこの延設部１２６，１２７の側縁からそれぞれ垂設された側面部１２８，１２９とが一体に形成されている。一方の側面部１２８には、バネ係止片１３１が突設されている。このバネ係止片１３１には、ガイドシャーシ９の側面部のバネ係止片１６８に一端が係止されたコイルバネ１６９の他端が係止され、これによりスライダ８は、ガイドシャーシ９の前方に付勢される。
【００６３】
延設部１２６の後端部には、後述するイジェクト部材１４７と係合する規制片１３３が設けられている。規制片１３３は、略矩形状に形成され、スライダ８の内方側に折り曲げられてなる。
【００６４】
側面部１２８，１２９には、それぞれ前後に離間してガイドピン１３５，１３６が設けられている。これらガイドピン１３５，１３６には、ガイドシャーシ９のガイド壁１５４，１５５に設けられた水平ガイド溝１５７，１５８に内側から係合される。
【００６５】
また、側面部１２８，１２９には、それぞれ前後に離間してホルダガイド溝１３７，１３８及びベースガイド溝１３９，１４０が形成されている。ホルダガイド溝１３７，１３８には、スライダ８にカートリッジホルダ６が組み付けられることにより、図９に示すように、カートリッジホルダ６の側壁８５，８６に突設されたガイド突部９８，９９が内側から係合される。また、ベースガイド溝１３９，１４０には、ベースシャーシ７の側壁７８に突設されたガイド軸７９，８０が内側から係合される。
【００６６】
前側に位置するホルダガイド溝１３７は、後側から順に下側水平部１３７ａ、傾斜部１３７ｂ、上側水平部１３７ｃが連続して形成されている。後側に位置するホルダガイド溝１３８は、後側から順に下側水平部１３８ａ、傾斜部１３８ｂ、上側水平部１３８ｃが連続して形成されている。また、前側に位置するベースガイド溝１３９は、後ろ側から順に上側水平部１３９ａ、傾斜部１３９ｂ、下側水平部１３９ｃが連続して形成されている。後ろ側に位置するベースガイド溝１４０は、後ろ側から順に上側水平部１４０ａ、傾斜部１４０ｂ、下側水平部１４０ｃが連続して形成されている。
【００６７】
更に、一方の側面部１２８には、バネ係止片３２６よりやや前面側に、後述するスライドレバー１６３の押圧部１７４によって押圧される被押圧片１４４が設けられている。スライダ８は、ディスクカートリッジ５の排出時に、被押圧片１４４がスライドレバー１６３に背面側へ押圧されることによりコイルバネ１６９の付勢力に対抗して背面側へスライドされる。
【００６８】
このようなスライダ８は、コイルバネ１６９によって前面側にスライドされることにより、ホルダガイド溝１３７，１３８及びベースガイド溝１３９，１４０に係合されたカートリッジホルダ６及びベースシャーシ７を近接する方向にガイドする。すなわち、スライダ８が前面側にスライドされると、ホルダガイド溝１３７，１３８に係合しているカートリッジホルダ６の側壁８５，８６に突設されたガイド突部９８，９９が、上側水平部１３７ｃ，１３８ｃから傾斜部１３７ｂ，１３８ｂを経て下側水平部１３７ａ，１３８ａへ移動され、カートリッジホルダ６は下降される。また、スライダ８が前面側にスライドされると、ベースガイド溝１３９，１４０に係合しているベースシャーシ７の側壁７８に突設されたガイド軸７９，８０が、下側水平部１３９ｃ，１４０ｃから傾斜部１３９ｂ，１４０ｂを経て上側水平部１３９ａ，１４０ａへ移動され、ベースシャーシ７は上昇される。
【００６９】
またスライダ８は、後述するスライドレバー１６３によって背面側にスライドされると、ホルダガイド溝１３７，１３８及びベースガイド溝１３９，１４０に係合されたカートリッジホルダ６及びベースシャーシ７を互いに離間する方向にガイドする。すなわち、スライダ８が背面側にスライドされると、ホルダガイド溝１３７，１３８に係合しているカートリッジホルダ６の側壁８５，８６に突設されたガイド突部９８，９９が、下側水平部１３７ａ，１３８ａから傾斜部１３７ｂ，１３８ｂを経て上側水平部１３７ｃ，１３８ｃへ移動され、カートリッジホルダ６は上昇される。また、スライダ８が背面側にスライドされると、ベースガイド溝１３９，１４０に係合しているベースシャーシ７の側壁７８に突設されたガイド軸７９，８０が、上側水平部１３９ａ，１４０ａから傾斜部１３９ｂ，１４０ｂを経て下側水平部１３９ｃ，１４０ｃへ移動され、ベースシャーシ７は下降される。
【００７０】
次いで、スライダ８の水平方向のスライド及びカートリッジホルダ６及びベースシャーシ７の上下方向の移動をガイドするガイドシャーシ９について説明する。
【００７１】
ガイドシャーシ９は、図３に示すカートリッジホルダ６、ベースシャーシ７及びスライダ８が組み付けられた組立品に外方より組み付けられるものであり、図１０に示すように、略矩形の主面部１５３と、主面部１５３のディスクカートリッジ５の挿入方向と直交する方向の側面より立ち上がり形成されスライダ８、カートリッジホルダ６及びベースシャーシ７の移動をガイドする一対のガイド壁１５４，１５５が形成されている。ガイド壁１５４，１５５は、それぞれ前後に離間してスライダ８の水平方向の移動をガイドする水平ガイド溝１５７，１５８が形成されている。また、ガイド壁１５４，１５５は、後端部にカートリッジホルダ６とベースシャーシ７の垂直方向の移動をガイドする垂直ガイド溝１５９，１６０が形成されている。
【００７２】
スライダ８の水平方向の移動をガイドする水平ガイド溝１５７，１５８は、ガイド壁１５４，１５５の長手方向の前端部１５４ａ，１５５ａ及び後端部１５４ｂ，１５５ｂに形成されている。この水平ガイド溝１５７，１５８は、ガイド壁１５４，１５５の後端部１５４ｂ，１５５ｂ側を開放端とされた略水平状の溝からなる。この水平ガイド溝１５７，１５８は、スライダ８の側面部１２８，１２９に前後に離間してそれぞれ突設されたガイドピン１３５，１３６が摺動可能に係合されている。したがって、ガイドシャーシ９は、スライダ８を確実に水平方向へ移動させることができる。
【００７３】
また、カートリッジホルダ６及びベースシャーシ７の垂直方向の移動をガイドする垂直ガイド溝１５９，１６０は、ガイド壁１５４，１５５の長手方向の後端部１５４ｂ，１５５ｂに形成されている。この垂直ガイド溝１５９，１６０は、上方を開放端とされた略垂直方向の溝からなる。この垂直ガイド溝１５９，１６０は、カートリッジホルダ６の側壁８５，８６に突設されたガイド突部９９及びベースシャーシ７の側壁７８，７８に突設されたガイド軸８０が摺動可能に係合されている。垂直ガイド溝１５９，１６０は、ガイド突部９９及びガイド軸８０が係合されることにより、カートリッジホルダ６及びベースシャーシ７の前後方向への移動を規制し、上下方向にのみ移動させることができる。
【００７４】
なお、垂直ガイド溝１５９，１６０は、開放端側である上方側より下方側が幅狭に形成するようにしてもよい。すなわち、垂直ガイド溝１５９，１６０は、上方側に幅広に形成されたカートリッジホルダ６のガイド突部９９が係合され、下方側に幅狭に形成されたベースシャーシ７のガイド軸８０が係合される。これにより、垂直ガイド溝１５９，１６０は、カートリッジホルダ６がベースシャーシ７側に下げられたときにも、カートリッジホルダ６の係合突部４６が幅狭に形成された下方側まで下がることがないため、カートリッジホルダ６が必要以上にベースシャーシ７側に近接することを防止することができる。
【００７５】
また、主面部１５３には、ベースシャーシ７に配設されたスピンドルモータ６１やディスクテーブル６３等のディスク回転駆動機構５９や、光ピックアップ装置６４の光学ブロック６５やスレッド送りモータ７０が挿通される開口部１６１が形成されている。開口部１６１は、記録再生機構３内にディスクカートリッジ５が挿入されておらずベースシャーシ７がカートリッジホルダ６と離間された状態において、ベースシャーシ７がガイドシャーシ９と近接されると、ベースシャーシ７の下面側に取り付けられたディスク回転駆動機構５９や光ピックアップ装置６４の下面部が挿通される。したがって、ベースシャーシ７の下面側に取り付けられたディスク回転駆動機構５９や光ピックアップ装置６４とガイドシャーシ９の主面部１５３との間に、ディスク回転駆動機構５９や光ピックアップ装置６４の下方への突出分に相当する所定のクリアランスを設けることなくベースシャーシ７とガイドシャーシ９の近接時におけるディスク回転駆動機構５９及び光ピックアップ装置６４とガイドシャーシ９の主面部１５３との干渉を回避することができる。また、ベースシャーシ７とガイドシャーシ９との間に所定のクリアランスを設けることを不要とするため、装置全体の薄型化を図ることができる。
【００７６】
また、ガイドシャーシ９には、図８及び図１０に示すように、カートリッジホルダ６が保持したディスクカートリッジ５をイジェクトするイジェクト部材１４７が設けられている。イジェクト部材１４７は、主面部１５３のガイド壁１５４側の後端部近傍に回動可能に設けられ、捻りコイルバネ１４８により前方に付勢されている。
【００７７】
このイジェクト部材１４７は、図１０に示すように、ガイドシャーシ９の主面部１５３の後端部に形成された取付片１５６に回動可能に取り付けられる回動部１４９と、回動部１４９より立ち上がり形成されディスクカートリッジ５と当接する当接部１５０と、当接部１５０より折り曲げ形成されイジェクト部材１４７の回動を規制する規制部１５１とを有する。
【００７８】
回動部１４９は、一端側に挿通孔が穿設され、この挿通孔にガイドシャーシ９の取付片１５６に突設されている回動軸１６２が挿通され、当該回動軸１６２を回動中心としてディスクカートリッジ５の挿脱が行われるカートリッジ挿脱口８９側に回動自在に支持されている。また、回動部１４９には、取付片１５６の係止面１５６ａに当接されることによりイジェクト部材１４７の回動を規制する回動規制片１４９ａが下方に折り曲げ形成されている。
【００７９】
当接部１５０は、回動部１４９より垂直に形成され、カートリッジホルダ６内に挿入されたカートリッジ本体１４の挿入端側の前面１４ｂと当接される。また、当接部１５０は、回動軸１６２に挿通されている捻りコイルバネ１４８の一端が係止されることにより、常時ディスクカートリッジ５を排出させるガイドシャーシ９の前面側へ付勢されている。当接部１５０は、ディスクカートリッジ５がカートリッジホルダ６内に挿入されると捻りコイルバネ１４８の付勢力に対抗してカートリッジ本体１４に押圧されることにより後方に回動され、またディスクカートリッジ５を排出する際には捻りコイルバネ１４８の付勢力により前方に回動されカートリッジ本体１４をカートリッジ挿脱口８９側へ押し出す。
【００８０】
イジェクト部材１４７の回動を規制する規制部１５１は、当接部１５０より折り曲げられスライダ８と略同一の高さに形成されている。この規制部１５１は、先端部にスライダ８の延設部１２６に形成された規制片１３３の外側縁を転動するローラ１５２が回転自在に形成されている。ローラ１５２は、スライダ８の規制片１３３と転動自在に係合することにより、イジェクト部材１４７の回動を規制する。
【００８１】
イジェクト部材１４７をカートリッジ挿脱口８９側へ回動付勢する捻りコイルバネ１４８は、図８に示すように、取付片１５６に突設されている回動軸１６２に挿通されるとともに、一端を当接部１５０に係止され、他端をガイドシャーシ９の主面部１５３より立ち上がり形成されているバネ係止壁１５３ａに係止されている。そして捻りコイルバネ１４８は、他端側を記録再生機構３のうちスライダ８等の可動部材を支持する固定部材であるガイドシャーシのバネ係止壁１５３ａに係止されることにより、取付片１５６に回動自在に設けられているイジェクト部材１４７を常時カートリッジ挿脱口８９側へ回動付勢する。
【００８２】
このイジェクト部材１４７は、ディスクカートリッジ５が挿入された状態においては、当接部１５０がカートリッジ本体１４に押圧されて規制部１５１が後方に回動される。このとき、スライダ８も、ローラ１５２が規制片１３３をスライダ８の前方へのスライドを規制する前面部１３３ａから側面部１３３ｂへ転動されるため、コイルバネ１６９によって前方にスライドされる。そして、イジェクト部材１４７は、ローラ１５２が前方へスライドされた規制片１３３の側面部１３３ｂと当接されることにより、ローラ１５２の回動軌跡上に規制片１３３の側面部１３３ｂが位置されるため、規制片１３３により回動が規制され、ガイドシャーシ９の後方に保持される。
【００８３】
また、イジェクト部材１４７は、ディスクカートリッジ５を排出する際には、後述するギヤ機構及びスライドレバーによりスライダ８が後方にスライドされるため、スライダ８の規制片１３３がローラ１５２の回動軌跡上より退避され、ローラ１５２が規制片１３３の側面部１３３ｂから前面部１３３ａへ転動可能となる。したがって、イジェクト部材１４７は、捻りコイルバネ１４８によって付勢されることにより前方へ回動され、ディスクカートリッジ５と当接している当接部１５０がカートリッジ本体１４をカートリッジ挿脱口８９側へ押し出して排出する。なお、イジェクト部材１４７は、回動部１４９に形成された回動規制片１４９ａがガイドシャーシ９に設けられている取付片１５６の係止面１５６ａに当接することにより回動が規制される。
【００８４】
このようなイジェクト部材１４７によれば、カートリッジ挿脱口８９側へ回動付勢する捻りコイルバネ１４８は、ガイドシャーシ９の主面部１５３に形成されている取付片１５６に突設された回動軸１６２に挿通され、その高さもガイドシャーシ９のガイド壁１５４，１５５の高さ以下とされているため、装置全体の厚さに影響することがなく、装置本体２の薄型化に資することができる。
【００８５】
また、イジェクト部材１４７を回動付勢する捻りコイルバネ１４８は、一端を当接部１５０に係止されると共に、他端をガイドシャーシ９のバネ係止壁１５３ａに係止されている。したがって、イジェクト部材１４７を回動させる付勢力がガイドシャーシ９とイジェクト部材１４７との間に配設された捻りコイルバネ１４８によって発生しているため、イジェクト部材とスライダとの間に引っ張りコイルバネを架け渡す従来のイジェクト機構に比して、このイジェクト部材１４７は、スライダ８やスライダ８に摺動自在に係合するカートリッジホルダ６及びベースシャーシ７に加わる捻りコイルバネ１４８の負荷が低減され、スライダ８のスライド動作及びカートリッジホルダ６とベースシャーシ７との近接又は離間がスムーズに行われる。
【００８６】
さらに、イジェクト部材１４７は、回動付勢方向とディスクカートリッジ５の排出方向とが同方向とされるため、捻りコイルバネ１４８の付勢力を効率よく当接部１５０に伝える。したがって、捻りコイルバネ１４８の力量を低減させることができ、イジェクト部材１４７と係合するスライダ８及びカートリッジホルダ６とベースシャーシ７とに加わる負荷を低減させ、これらのスムーズな移動を図ることができる。また、捻りコイルバネ１４８の力量を低減することにより、ディスクカートリッジ５の挿入時においてもカートリッジ本体１４によりイジェクトレバー１４７を押し込む力を低減でき、挿入感を向上させることができる。
【００８７】
また、イジェクト部材１４７は、規制部１５１の先端にローラ１５２を設け、これをスライダ６の規制片１３３に転動させるものであるため、イジェクト部材１４７の規制部１５１とスライダ８の規制片１３３との摺動摩擦を低減することができ、これらのスムーズな移動を図ることができる。
【００８８】
スライダ８を後方へスライドさせるスライドレバー１６３は、図３及び図１０に示すように、ガイドシャーシ９のガイド壁１５４に前後方向に移動可能に取り付けられている。スライドレバー１６３は、前後に長く形成され、前後に離間してガイド孔１６５，１６５が形成されている。スライドレバー１６３は、これらガイド孔１６５，１６５にガイドピン１６６，１６６が係合されることによって、ガイド壁１５４に取り付けられている。
【００８９】
スライドレバー１６３には、図１１に示すように、後端よりの下縁に係合片１６４が設けられている。この係合片１６４は、後述する駆動機構２２１を構成する駆動ギヤ２２６の押圧突部２２６ａの回転軌跡上に位置され、押圧突部２２６ａに押圧されることにより、駆動ギヤ２２６の回転に応じてスライドレバー１６３全体をガイド孔１６５，１６５に係合されたガイドピン１６６，１６６に沿って移動させる。また、スライドレバー１６３には、一対のガイド孔１６５，１６５間の上縁に上方へ突出された押圧部１７４が設けられている。この押圧部１７４は、スライドレバー１６３全体が後方に移動することにより、スライダ８の被押圧片１４４を押圧し、スライダ８をコイルバネ１６９の付勢力に抗して後方へ移動させる。スライドレバー１６３には、後側の下側にバネ係止部１７５が設けられている。バネ係止部１７５には、一端がガイドシャーシ９のガイド壁１５４に設けられたバネ係止部１７６に係止された付勢部材であるコイルバネ１７７の他端が係止される。したがって、スライドレバー１６３は、このコイルバネ１７７の付勢力によって常時前方側に移動されている。そして、スライドレバー１６３は、後述する駆動機構２２１を構成する駆動ギヤ２２６の押圧突部２２６ａによって係合片１６４が押圧されると、コイルバネ１７７の付勢力に抗して後方へ移動され、押圧部１７４がスライダ８を後方へスライドさせ、カートリッジ５を排出させる。
【００９０】
図１０及び図１１に示すように、ガードシャーシ９の主面部１５３の左端部には、後述する駆動機構２２１とヘッド昇降機構１０１を構成する操作レバー１０３とをリンクさせ、駆動機構２２１の駆動力を操作レバー１０３に伝達するリンク機構１８０が設けられている。このリンク機構１８０は、ヘッド昇降機構１０１を構成する操作レバー１０３を制御して磁気ヘッド部７３を昇降させる昇降レバー２０２と、昇降レバー２０２を移動させる駆動レバー１８１と、この駆動レバー１８１の移動量を規制するためのリミットレバー１９１と、リミットレバー１９１に取り付けられるリミッタバネ２１１とを備える。
【００９１】
駆動レバー１８１は、ガイドシャーシ９のガイド壁１５４の後端に、前後方向に移動自在に取り付けられている。駆動レバー１８１は、図３及び図１０に示すように、前後方向に長く形成され、前後両端部にそれぞれガイド孔１８２，１８２が形成されるとともにガイドピン１８４，１８４によってスライド可能に係止されている。
【００９２】
また、駆動レバー１８１の前後方向における略中央部には、バネ係止片１８５が下面側に突出して設けられている。このバネ係止片１８５には、一端がガイドシャーシ９のガイド壁１５４の下面に設けられたバネ係止片１８６に係止された付勢部材である引張コイルバネ１８７の他端が係止されている。したがって、駆動レバー１８１は、常時後方へ付勢されている。また、駆動レバー１８１は、前端部にリミットレバー１９１に押圧される被押圧部１８８が下方に突設されている。駆動レバー１８１は、被押圧部１８８がリミットレバー１９１に押圧されることにより、引張コイルバネ１８７の付勢力に抗して前方にスライドされる。駆動レバー１８１の前後方向の移動に伴って、昇降レバー２０２を介して操作レバー１０３が前後に移動される。
【００９３】
また、駆動レバー１８１は、前後方向における略中間部に、後述する昇降レバー２０２との間で引張コイルバネ１８９が懸架されるバネ係止片１９０が上面側に突出して設けられている。駆動レバー１８１は、リミットレバー１９１により前方に押圧されると、引張コイルバネ１８９を介して昇降レバー２０２と一体的にスライドされる。
【００９４】
また、ガイドシャーシ９の下面には、図１１に示すように、駆動レバー１８１に隣接してリミットレバー１９１が回動自在に支持されている。リミットレバー１９１は、ガイドシャーシ９のガイド壁１５４側に突出し駆動レバー１８１の被押圧部１８８を押圧する押圧部１９２と、駆動機構２２１の第２の駆動ギヤ２２７と係合する係合凹部１９３と、リミットレバー１９１を回動付勢するリミッタバネ２１１が係止される係止部１９４とを有する。
【００９５】
リミットレバー１９１は、係合凹部１９３が第２の駆動ギヤ２２７の係合凸部２２７ａの回転軌跡上に位置され、係合凸部２２７ａと係合可能とされている。また、リミットレバー１９１は、リミッタバネ２１１が係止されることにより、係合凸部２２７ａと係合されて駆動ギヤ２２７の回転方向に回転された場合にも、係合凸部２２７ａとの係合が外れると、リミッタバネ２１１によって、再度係合凹部１９３が係合凸部２２７ａと係合可能な初期位置に弾性復帰される。
【００９６】
このリミットレバー１９１は、駆動機構２２１により第２の駆動ギヤ２２７が回転駆動されると、第２の駆動ギヤ２２７の係合凸部２２７ａが係合凹部１９３に係合され、図１１中矢印Ｆ方向に回動される。これによりリミットレバー１９１は、押圧部１９２が図１１中矢印Ｄ方向に回動され、駆動レバー１８１の被押圧部１８８をガイドシャーシ９の前方にスライドさせ、昇降レバー２０２を介して操作レバー１０３及び昇降操作部材１０２を移動させて磁気ヘッド装置７１のヘッド支持アーム７４をヘッド挿入用開口部９６内に下降させる。
【００９７】
リミットレバー１９１は、さらに駆動ギヤ２２７が回転されると、ガイドシャーシ９の主面部１５３に突設されている係止片１９６に突き当てられ、回転が規制される。なお、リミットレバー１９１が係止片１９６に突き当てられ、回動が規制された状態で駆動ギヤ２２７及びリミットレバー１９１に回転力が加わるとこれらの部材への負荷が大きく、無駄な電力も消費してしまうため、任意の時間を待って駆動モータ２２２への電力の供給を止めるよう制御される。そして、記録状態から停止状態及び再生状態に移ると、駆動モータ２２２により第２の駆動ギヤ２２７が図１１中反矢印Ｈ方向に回転され、リミットレバー１９１は第２の駆動ギヤ２２７の係合凸部２２７ａとの係合が解除されると共に、リミッタバネ２１１によって係止片１９６と反対方向の回転力が加わり、駆動レバー１８１への押圧力が解かれる。したがって、駆動レバー１８１は、引張コイルバネ１８７により図１１中反矢印Ｄ方向にスライドされる。これにより、昇降レバー２０２を介して操作レバー１０３及び昇降操作部材１０２が移動され、磁気ヘッド装置７１のヘッド支持アーム７４がヘッド挿入用開口部９６上へ上昇される。
【００９８】
駆動レバー１８１と操作レバー１０３は、図３及び図１２に示すように、昇降レバー２０２によって連結されている。昇降レバー２０２は、ガイドシャーシ９のガイド壁１５４と駆動レバー１８１との間に配設され、図示しないガイド孔が形成されると共にガイドピン１８４によってガイド壁１５４にスライド可能に係止されている。昇降レバー２０２は、駆動レバー１８１と略同一の大きさに形成されており、前後方向の前端部には、操作レバー１０３を狭持する係合部２０３が上辺部に突出して形成されている。係合部２０３には、カートリッジホルダ６の天板部８２に前後方向に回動可能に取り付けられた操作レバー１０３の操作突部１１４が摺動自在に狭持されている。
【００９９】
また、昇降レバー２０２は、後端部の上縁部に駆動レバー１８１との間に懸架される引張コイルバネ１８９が係止されるバネ係止片１８３が上面側に突出して設けられている。昇降レバー２０２は、引張コイルバネ１８９を介して駆動レバー１８１と接続されることによって、駆動レバー１８１がガイドシャーシ９の前方にスライドされると、ともにガイドシャーシ９の前方にスライドされる。
【０１００】
また、昇降レバー２０２は、後端部が外方に折り曲げられると共に駆動レバー１８１の後端部を係止する係止部２０４が形成されている。昇降レバー２０２は、係止部２０４が駆動レバー１８１の後端部が係止されることにより、駆動レバー１８１が後方へスライドされると、係止部２０４が駆動レバー１８１に押圧され、後方へスライドされる。
【０１０１】
このような昇降レバー２０２は、リミットレバー１９１を介して駆動レバー１８１がガイドシャーシ９の前方へスライドされると、引張コイルバネ１８９によって前方へスライドされる。これにより、昇降レバー２０２は、係合部２０３において狭持している操作レバー１０３の操作突部１１４を前面側に回動させる。操作レバー１０３は、アーム部１１５が回動支持部１１６を介して操作突部１１４と反対側の背面側に回動され、回動操作板１０４をカートリッジホルダ６の背面６ｂ側へスライドさせる。これにより、回動操作板１０４に支持されている磁気ヘッド装置７１のヘッド支持アーム７４がヘッド挿入用開口部９６内へ下降される。
【０１０２】
また、昇降レバー２０２は、駆動レバー１８１がリミットレバー１９１との係合が外れ、引張コイルバネ１８７によって後方へスライドされると、係止部２０４が駆動レバー１８１に押圧され、後方へスライドされる。これにより、昇降レバー２０２は、係合部２０３において狭持している操作レバー１０３の操作突部１１４を後方にスライドさせる。操作レバー１０３は、アーム部１１５が回動支持部１１６を介して操作突部１１４と反対側の前面側に回動され、回動操作板１０４をカートリッジホルダ６の前面６ａ側へスライドさせる。これにより、回動操作板１０４に支持されている磁気ヘッド装置７１の支持アーム７４がヘッド挿入用開口部９６上へ退避される。また、リミットレバー１９１により駆動レバー１８１がガイドシャーシ９の前方へスライドされ磁気ヘッド部７３が下りた状態で電源が無くなる等の緊急時にはスライドレバー１６３及びスライダー８を背面側に手動にて動作させ、スライダー8の当接片２３１が昇降レバー２０２をも背面側に移動させ磁気ヘッド部を必ず上昇させた状態にてディスクカートリッジ５の排出動作を行う。
【０１０３】
次に、以上のようなリンク機構１８０を構成する駆動レバー１８１やリミットレバー１９１を直接的に移動させる駆動機構２２１について図１０を用いて説明する。この駆動機構２２１は、駆動源となる駆動モータ２２２と、この駆動モータ２２２の駆動軸に取り付けられたウォーム２２３に噛合される複数のギヤからなるギヤ列２２４と、このギヤ列２２４の最終段のギヤに噛合される第１の駆動ギヤ２２６と、第１の駆動ギヤ２２６と噛合される第２の駆動ギヤ２２７とが、ガイドシャーシにかしめられた軸部材によって回転可能に形成されている。
【０１０４】
駆動モータ２２２は、ガイドシャーシ９の下面に配設され、駆動軸に取り付けられたウォーム２２３に噛合されたギヤ列２２４を介して第１及び第２の駆動ギヤ２２６，２２７を回転する。
【０１０５】
ギヤ列２２４に噛合されている第１の駆動ギヤ２２６は、上面に押圧突部２２６ａが一体に設けられている。この押圧突部２２６ａは、第１の駆動ギヤ２２６が図１３中矢印Ｇ方向に回転されることにより、スライドレバー１６３の係合片１６４に前面側より当設し、スライドレバー１６３を同図１３中反矢印Ｄ方向にスライドさせる。これにより第１の駆動ギヤ２２６は、スライドレバー１６３及びスライダ８を背面側へスライドさせ、イジェクト部材１４７を前面側へ回動させる。
【０１０６】
また、第１の駆動ギヤ２２６と噛合する第２の駆動ギヤ２２７は、上面に係合凸部２２７ａが一体に設けられている。この係合凸部２２７ａは、第２の駆動ギヤ２２７が図１１中矢印Ｈ方向に回転されることにより、リミットレバー１９１の係合凹部１９３に係合し、リミットレバー１９１を同図１１中矢印Ｆ方向に回動させる。これにより第２の駆動ギヤ２２７は、リミッタバネ１９１の押圧部１９２を図１１中矢印Ｄ方向へ回動させ、駆動レバー１８１及び昇降レバー２０２を前面側へスライドさせることにより、操作レバー１０３及び昇降操作部材１０２をスライドさせ、磁気ヘッド部７３を光磁気ディスク４に摺接させる。
【０１０７】
なお、図３に示すように、ガイドシャーシ９の一対のガイド壁１５４，１５５の前方には、カートリッジホルダ６のカートリッジ挿脱口８９を開閉し、内部に塵埃等の異物が侵入することを防止する開閉蓋２１５が取り付けられている。
【０１０８】
次に、以上のように構成された記録再生機構３の上記図１に示した取付部材４２への取付を説明する。この取付部材４２は、金属板を折曲して、上面が開放された略矩形の箱状に形成されている。この取付部材４２の底面には、前面側に記録再生機構３が配設される第１の配設部２５１が設けられ、背面側にリジットなプリント配線基板２５３が配設される第２の配設部２５２が設けられている。なお、第２の配設部２５２に配設されるプリント配線基板２５３には、記録再生機構３を駆動制御するための制御回路や情報処理装置とＵＳＢ規格に従ってデータのやり取りを行うためのインタフェース回路等が組み込まれている。
【０１０９】
第１の配設部２５１は、第２の配設部２５２より１段低い位置に略矩形に形成されている。第１の配設部２５１には、各コーナ部近傍に、底面から離間して記録再生機構３の取付片２５４が形成されている。これら取付片２５４は、中心に取付孔２５４ａが穿設されている。また第１の配設部２５１は、プリント配線基板２５３よりフレキシブル回路基板を介して接続されたプリント配線基板２５６が配設されている。このプリント配線基板２５６は、上記ベースシャーシ７に設けられた光学ブロック６５に一端が接続されたフレキシブル配線基板７７の他端が接続されている。
【０１１０】
一方、記録再生機構３を構成する略矩形のガイドシャーシ９には、図１０に示すように、各コーナ部近傍に取付支持片２５５が設けられている。これら取付支持片２５５は、中心部に貫通孔２５５ａが設けられ、貫通孔２５５ａは、一部が切り欠かれ開放されている。記録再生機構３は、貫通孔２５５ａに記録再生機構３を取付部材４２に対してフローティング状態とするための図示しないダンパ部材が取り付けられ、当該ダンパ部材を介して取付片２５４に接続されている。
【０１１１】
ところで、以上のように構成された記録再生装置１は、上記取付部材４２に配設されるプリント配線基板２５３及びプリント配線基板２５６に、記録再生機構３の動作を制御する制御回路が組み込まれている。この制御回路は、マイクロコンピュータ等で構成された制御部を有する。この制御部には、ディスクカートリッジ５の挿入を検出するカートリッジ検出スイッチのオンオフが入力されると共に、駆動機構２２１の駆動状態を検出する検出スイッチからの信号が入力される。また、この制御部は、ディスク回転駆動機構５９を構成するスピンドルモータ６１、光ピックアップ装置６４、光ピックアップ装置６４のスレッド送りモータ７０、磁気ヘッド部７３等を制御すると共に、駆動機構２２１の駆動源となる駆動モータ２２２を制御する。
【０１１２】
制御部は、カートリッジ検出スイッチがオンとなったことを検出することでディスクカートリッジ５が装着部５２に装着されたかどうかを検出し、ディスクカートリッジ５が装着部５２に装着されているときに限って、光磁気ディスク４を回転するためのスピンドルモータ６１、光ピックアップ装置６４、磁気ヘッド部７３等の駆動を許可する。そして、制御部は、記録再生装置１が組み付けられる情報処理装置からの入力に応じてスピンドルモータ６１、光ピックアップ装置６４、光ピックアップ装置６４のスレッド送りモータ７０、磁気ヘッド７３等を駆動し、情報信号の記録や再生を行うことができるようにする。
【０１１３】
また、制御部は、検出スイッチからの入力に応じて駆動モータ２２２の駆動を停止する。また、制御部は、カートリッジホルダ６に保持しているディスクカートリッジ５に対してデータを記録するとき、磁気ヘッド部７３を光磁気ディスク４に摺接させるために正転駆動し、カートリッジホルダ６に保持しているディスクカートリッジ５をイジェクトするとき、逆転駆動する。
【０１１４】
このように、制御部は、装置全体の動作を制御するものであり、記録動作中にイジェクト操作信号が入力されたとき、適宜、記録データの管理情報であるＴＯＣ（Table Of Contents）を更新してから記録動作を停止する。すなわち、制御部は、スピンドルモータ６１、光ピックアップ装置６４、磁気ヘッド部７３の駆動を停止する。そして、制御部は、駆動モータ２２２を逆転駆動し、磁気ヘッド部７４をカートリッジ本体１４内から待避させる。この後、制御部は、駆動モータ２２２を磁気ヘッド部７３を上げる方向に逆転駆動し、装着部５２に装着されているディスクカートリッジ５のイジェクトを開始するように制御する。
【０１１５】
なお、制御部は、記録動作中にイジェクト操作信号の入力があったとき、記録動作を一端終了、すなわちＴＯＣを更新してからディスクカートリッジ５のイジェクトを行うようにし、ＴＯＣが更新されないことで光ディスクに記録されたデータが破損しないようにしている。
【０１１６】
なお、この制御は、記録再生装置１側で行うようにするほか、情報処理装置側のソフトウェアで行うようにしてもよい。
【０１１７】
以上のように構成された記録再生装置１は、次のようにディスクカートリッジ５が挿入されて情報信号の記録再生を行い、ディスクカートリッジ５をイジェクトする。先ず、ディスクカートリッジ５がローディングされる前の状態について説明する。
【０１１８】
イジェクト部材１４７は、図１４に示すように、捻りコイルバネ１４８の付勢力によって図１４中矢印Ｒ方向の回動端に位置されており、イジェクト部材１４７の規制部１５１のローラ１５２が、スライダ３０６の規制片１３３の前面部１３３ａに当接されている。これによって、スライダ８は、コイルバネ１６９の付勢力に抗してカートリッジホルダ６の後方側に保持されている。
【０１１９】
スライダ８がカートリッジホルダ６の後方側に保持されていることで、図１５に示すように、カートリッジホルダ６のガイド突部９８，９９は、それぞれスライダ８のホルダガイド溝１３７，１３８の上側水平部１３７ｃ，１３８ｃに係合されている。したがって、カートリッジホルダ６は、ベースシャーシ７に対して離間したディスクカートリッジ５の挿脱が行われる挿脱位置に保持されている。このとき、カートリッジホルダ６とカバー４３とのクリアランスは、最小の値（例えば略０．１ｍｍ）となり、このクリアランス内にカートリッジホルダ１２の天板８２上に配設されている磁気ヘッド装置７１が配設されている。ここで、ディスクカートリッジ５が収納されていない状態においては、磁気ヘッド装置７１が駆動されることはないため、磁気ヘッド装置７１を収納するのに必要なスペースは確保されている。
【０１２０】
同様に、スライダ８がカートリッジホルダ６の後方側に保持されていることで、ベースシャーシ７のガイド軸７９，８０は、それぞれスライダ８のベースガイド溝１３９，１４０の下側水平部１３９ｃ，１４０ｃに係合されている。したがって、ベースシャーシ７は、カートリッジホルダ６に対して離間した位置に保持されている。このとき、ベースシャーシ７と取付部材４２の下面部に配設されたプリント配線基板２５６とのクリアランスは最小の値（例えば略０．１ｍｍ）となり、このクリアランス内にベースシャーシ７に配設されている光ピックアップ装置６４の光学ブロック６５とプリント回路基板２５６とを接続するフレキシブル回路基板７７が収納されている。ここで、ディスクカートリッジ５が収納されていない状態においては、光学ブロック６５が駆動されることはないため、フレキシブル回路基板７７を収納するのに必要なスペースは確保されている。また、ベースシャーシ７は、カートリッジホルダ６と離間した位置に移動されると同時に、ガイドシャーシ９と近接され、ベースシャーシ７の装着部５２に形成された挿通開口７６にはガイドシャーシ９に設けられた駆動機構２２１のギア列２２４、第１及び第２の駆動ギヤ２２６，２２７及びＤＣモータ２２２が挿通される。
【０１２１】
また、このときガイドシャーシ９のガイド壁１５４に取り付けられたスライドレバー１６３は、コイルバネ１７７の付勢力によって前方側の移動端に保持されている。また、図１６に示すように、駆動機構２２４の第１の駆動ギヤ２２６は、押圧突部２２６ａがスライドレバー１６３の係合片１６４と離間した位置にあり、第２の駆動ギヤ２２７は、係合凸部２２７ａがリミットレバー１９１の係合凹部１９３と離間した位置とされている。
【０１２２】
また、図１７に示すように、駆動レバー１８１は、引張コイルバネ１８７によってガイドシャーシ９の後方へスライドされており、昇降レバー２０２も駆動レバー１８１と共にガイドシャーシ９の後方へスライドされている。したがって、昇降レバー２０２の係合部２０３に狭持されている操作レバー１０３の操作突部１１４が図１４中反矢印Ｄ方向にスライドされ、回動支持部１１６を介してアーム部１１５及び昇降操作部材１０２が図１４中矢印Ｉ方向にスライドされ、ヘッド支持アーム７４をカートリッジホルダ６の天板８２に形成されたヘッド挿入用開口部９６の上方に支持している。これにより、磁気ヘッド部７３をカートリッジホルダ６内に挿入されるディスクカートリッジ５に干渉しない位置に退避させている。
【０１２３】
図９に示すように、ディスクカートリッジ５は、カートリッジ本体１４の前面１４ｂを挿入端としてカートリッジホルダ６のカートリッジ挿脱口８９より挿入される。そして、ディスクカートリッジ５は、先ず、カートリッジ本体１４の前面１４ｂ側の下ハーフ１３により構成される下面部がカートリッジ挿脱口８９に近接した位置にあるカートリッジホルダ６のカートリッジ支持片８７，８８の前端部によりガイドされながら、更にユーザにより押し込まれることにより、カートリッジホルダ６内に進入していく。
【０１２４】
ディスクカートリッジ５がカートリッジ挿脱口８９よりカートリッジホルダ６に挿入されていくと、シャッタ開放片９２が相対的にカートリッジ本体１４の一側面１４ａに設けられたガイド溝に係合し、このガイド溝内を前面１４ｂ側に移動することによって、シャッタ部材２１のロックを解除し、引き続きシャッタ部材２１の端縁を押圧してこのシャッタ部材２１をシャッタ取付凹部２５内のカートリッジ本体１４の背面１４ｃ側に移動させる。シャッタ部材２１がスライドされていくとシャッタ保持片９３の係合突部９４がシャッタ部材２１の係合孔に係合され、シャッタ部材２１が記録再生用開口部１８，１９を開放した状態に保持される。
【０１２５】
また、図１８に示すように、挿入されたディスクカートリッジ５によってイジェクト部材１４７の回動部１５０が後方へ押圧され、イジェクト部材１４７が捻りコイルバネ１４８の付勢力に抗して図１８中反矢印Ｒ方向へ回動される。
【０１２６】
図１８に示すように、イジェクト部材１４７が図１８中反矢印Ｒ方向へ回動され規制部１５１のローラ１５２がスライダ３０６の規制片１３３の前面部１３３ａから側面部１３３ｂへ転動されていくと、図８に示すように規制片１３３の前面部１３３ｂとの係合が外れ、規制部１５１がスライダ６の前方へのスライドを規制しなくなるため、コイルバネ１６９の付勢力によってスライダ８がカートリッジホルダ６の前方へスライドされる。なお、イジェクト部材１４７は、スライダ８が前方へスライドされることにより、規制部１５１のローラ１５２がスライダ８の規制片１３３の側面部１３３ｂに当接されて、ディスクカートリッジ５を排出する図１８中矢印Ｒ方向への回動が規制される。
【０１２７】
そして、スライダ３０６が前方へ移動されていくと、カートリッジホルダ６のガイド突部９８，９９が、それぞれホルダガイド溝１３７，１３８の上側水平部１３７ｃ，１３８ｃから傾斜部１３７ｂ，１３８ｂを経て下側水平部１３７ａ，１３８ａまで移動しベースシャーシ７に近接される。このとき、カートリッジホルダ６は、ガイド突部９９がガイドシャーシ９のガイド壁１５４，１５５に形成された垂直ガイド溝１５９，１６０にガイドされるため、前後方向にスライドすることなく、下降される。また、図１９に示すように、カートリッジホルダ６は、ベースシャーシ７側へ略０．６ｍｍ移動され、カバー４３との間に最大のクリアランス（例えば０．７ｍｍ）が形成される。したがって、カートリッジホルダ６とカバー４２との間にはカートリッジホルダ６の天板８２上に配設されている磁気ヘッド装置７１が駆動するに十分なスペースが確保される。
【０１２８】
また、スライダ８が前方へ移動されていくと、同時にベースシャーシ７のガイド軸７９，８０がそれぞれベースガイド溝１３９，１４０の下側水平部１３９ｃ，１４０ｃから傾斜部１３９ｂ，１４０ｂを経て上側水平部１３９ａ，１４０ａまで移動しカートリッジホルダ６に近接される。このとき、ベースシャーシ７は、ガイド軸８０がガイドシャーシ９のガイド壁１５４，１５５に形成された垂直ガイド溝１５９，１６０にガイドされるため、前後方向にスライドすることなく、上昇される。また、図１９に示すように、ベースシャーシ７は、カートリッジホルダ６側へ略１．８ｍｍ移動され、取付部材４２に配設されたプリント配線基板２５６との間に最大のクリアランス（例えば１．９ｍｍ）が形成される。したがって、ベースシャーシとプリント配線基板２５６との間にはプリント配線基板２５６とベースシャーシ７に配設された光学ブロック６５とを接続するフレキシブル回路基板７７が光学ブロック６５とともに移動するに十分なスペースが確保される。
【０１２９】
以上のように、ディスクカートリッジ５が挿入され、カートリッジホルダ６とベースシャーシ７とが近接されるとき、カートリッジホルダ６の下降量よりもベースシャーシ７の上昇量が大きくされている。したがって、記録再生装置１は、カートリッジ挿脱口８９内にディスクカートリッジ５を挿入させたユーザの指等の障害物が挿入され、カートリッジホルダ６の下降が妨害された場合にも、ベースシャーシ７が上昇されることにより、ディスクカートリッジ５を装着部５２に装着させることができ、また、カートリッジホルダ６の下降量が比較的短いため、記録再生機構３にかかる負荷が少なくてすむ。
【０１３０】
また、カートリッジホルダ６及びベースシャーシ７が互いに近接され、装着位置に至ると、カートリッジホルダ６に保持されているディスクカートリッジ５は、ベースシャーシ７に構成された装着部５２に装着される。ここで、カートリッジ本体１４の下ハーフ１３側の主面に設けられた位置決め凹部２９には、ベースシャーシ７に突設された位置決めピン５３が係合され、これによって、ディスクカートリッジ５は、装着部５２に位置決めがされた状態で装着される。このとき、図８に示すように、ディスクカートリッジ５の位置決め凹部２９は、その中心が位置決めピン５３の中心よりややずれた位置、例えば１ｍｍずれた位置にあるため、位置決めピン５３の傾斜面に沿って引き込まれる。これによりディスクカートリッジ５は、カートリッジホルダ６の最深部まで挿入されない状態でも位置決めピン５３に引き込まれ、ベースシャーシ７の装着部５２に装着される。したがって、ディスクカートリッジ５がカートリッジホルダ６の最深部まで挿入されない状態でカートリッジホルダ６とベースシャーシ７とが近接されることにより、カートリッジホルダ６とベースシャーシ７とでディスクカートリッジ５を挟み込んでしまう事態を回避することができる。
【０１３１】
そして、カートリッジホルダ６とベースシャーシ７とが近接方向の移動端まで移動されると、カートリッジ本体１４の中央開口部１７からは、ディスク回転駆動機構５９を構成するディスクテーブル６３が進入し、カートリッジ本体１４内に収納された光磁気ディスク４のクランピングプレート１６を磁気吸引し、センタリングを図った状態で保持する。これにより、光磁気ディスク４は、ディスクテーブル６３と一体的に回転可能な状態となる。
【０１３２】
次に、光磁気ディスク４に記録された情報信号の再生動作について説明する。ユーザによって情報信号の再生操作が行われると、スピンドルモータ６１が駆動され、光磁気ディスク４は、ＣＬＶ（Constant Linear Velocity）、ＣＡＶ（Constant Angular Velocity）等で回転される。そして、光ピックアップ装置６４は、スレッド送りモータ７０が駆動されることにより送りねじ６９が回転され、ガイド軸６８にガイドされながら光磁気ディスク４の径方向に送り操作される。光ピックアップ装置６４は、光ビームを半導体レーザより出射し、対物レンズ６６で収束し、光磁気ディスク４の信号記録面に照射する。そして、光ピックアップ装置６４は、光磁気ディスク４で反射された戻りの光ビームを光検出器で検出することによって、光磁気ディスク４に記録されている情報信号の読み出しを行う。なお、このとき、光ピックアップ装置６４は、２軸アクチュエータを駆動し、フォーカシングサーボ信号及びトラッキングサーボ信号に基づいて対物レンズ６６のフォーカシング方向及びトラッキング方向に駆動変位する。例えば、先ず、光ピックアップ装置６４は、光磁気ディスク４の最内周側に移動されて光磁気ディスク４の最内周に記録されているＴＯＣの読み出しを行う。そして、ＴＯＣの読み出しの後、ユーザによって指定されたトラックにトラックジャンプし、ユーザ指定の情報信号の読み出しを行う。なお、ユーザによって再生を停止する操作が行われると、スピンドルモータ６１は、ディスクテーブル６３の回転を停止すると共に光ピックアップ装置６４の駆動を停止する。
【０１３３】
なお、このとき、記録再生機構３は、図２０に示すように、スライドレバー１６３は、コイルバネ１７７により前方にスライドされており、また駆動レバー１８１は、引張コイルバネ１８７による後方にスライドされている。また、図１６に示すように、駆動機構２２１は停止されており、第１の駆動ギヤ２２６の押圧突部２２６ａはスライドレバー１６３の係合片１６４と離間され、第２の駆動ギヤ２２７の係合凸部２２７ａはリミットレバー１９１の係合凹部１９３との係合が解除されている。
【０１３４】
次に、光磁気ディスク４にユーザが情報処理装置を用いて処理し、ハードディスク等に保存されている処理データ、例えば楽曲データや画像データを光磁気ディスク４に記録する記録動作について説明する。ユーザによって情報信号の記録操作が行われると、駆動モータ２２２が正転駆動され、ギヤ列２２４及び第１の駆動ギヤ２２６を介して第２の駆動ギヤ２２７が図１１中矢印Ｈ方向に回転される。すると、図１１に示すように、回転する第２の駆動ギヤ２２７の係合凸部２２７ａと、リミットレバー１９１の係合凹部１９３とが係合され、リミットレバー１９１が図１１中矢印Ｆ方向へ回転されて、押圧部１９２が前方へ移動される。リミットレバー１９１の押圧部１９２が前方へ移動されると、図１２に示すように、駆動レバー１８１の被押圧部１８８が前方へ移動され、駆動レバー１８１及び昇降レバー２０２が前方へスライドされる。
【０１３５】
昇降レバー２０２の前方への移動により、図２１に示すように、係合部２０３に狭持された操作レバー１０３の操作突部１１４が前方へスライドし、アーム部１１５が回動支持部１１６を介して後方へ移動される。したがって、アーム部１１５と支持アーム１０５で接続されている昇降操作部材１０２の回動操作板１０４は、カートリッジホルダ６の背面６ｂ側に移動する。これにより、回動操作板１０４の段差部１０４ａも背面６ｂ側に後退し、段差部１０４ａに支持されていた磁気ヘッド装置７１のヘッド支持アーム７４がカートリッジホルダ６のヘッド挿入用開口部９６内に進入して磁気ヘッド部７３が光磁気ディスク４の信号記録面に摺接される。
【０１３６】
なお、リミットレバー１９１は、図１１中矢印Ｆ方向に回動されると係止片１９６に突き当てられ回動が規制される。その後、駆動モータ２２２が停止されて第２の駆動ギヤ２２７及びリミットレバー１９１への過剰な負荷がかかることを防止する。
【０１３７】
次いで、スピンドルモータ６１によってディスクテーブル６３と一体的に光磁気ディスク４が回転されると共にスレッド送りモータ７０により光ピックアップ装置６４がガイド軸６８にガイドされて光磁気ディスク４の径方向へ移動される。このとき、光ピックアップ装置６４の２軸アクチュエータの対物レンズ６６を介してカートリッジ本体１４の記録再生用開口部１９から光磁気ディスク４に光ビームが照射されると共に磁気ヘッド部７３を介して光磁気ディスク４に磁界が印加され、情報信号の記録が行われる。
【０１３８】
ユーザによって記録再生装置１の記録動作の停止操作がされると、記録再生装置１は、磁気ヘッド部７３と光磁気ディスク４の最内周側にアクセスし、磁気ヘッド部７３と光ピックアップ装置６７は、ＴＯＣの更新を行う。そして、駆動モータ２２２が先程とは反対に逆転駆動されギヤ列２２４、第１の駆動ギヤ２２６を介して第２の駆動ギヤ２２７が他方向へ回転される。これによって、駆動ギヤ２２７の係合凸部２２７ａは、図１６に示すように、リミットレバー１９１の係合凹部１９２との係合が解除されるとともに、リミッタバネ２２１によって図１１中反矢印Ｆ方向へ回動され、押圧部１９２が後方に移動される。押圧部１９２からの押圧力が解かれた駆動レバー１８１は、ガイドシャーシ９との間に懸架されている引張コイルバネ１８７によって後方にスライドされる。また、駆動レバー１８１が後方にスライドされることにより、駆動レバー１８１の後端部が係止部２０４に係止されている昇降レバー２０２も後方にスライドされる。
【０１３９】
したがって、昇降レバー２０２の係合部２０３に狭持されている操作レバー１０３も、操作突部１１４が後方に移動し、アーム部１１５が回動支持部１１６を介して前方へ移動される。したがって、アーム部１１５と支持アーム１０５で接続されている昇降操作部材１０２の回動操作板１０４は、カートリッジホルダ６の前面６ａ側に移動する。これにより、回動操作板１０４の段差部１０４ａも前面６ａ側に移動し、磁気ヘッド装置７１のヘッド支持アーム７４が段差部１０４ａに支持され、カートリッジホルダ６のヘッド挿入用開口部９６上に上昇され磁気ヘッド部７３がカートリッジホルダ６より退避される。
【０１４０】
これと同時に、スピンドルモータ６１の駆動が停止し光磁気ディスク４の回転が停止し、また、光ピックアップ装置６４の駆動が停止することによって、情報信号の記録動作が終了する。
【０１４１】
次に、ベースシャーシ７の装着部５２に装着されているディスクカートリッジ５をイジェクトするときの動作を説明する。記録再生装置１又は記録再生装置１が組み込まれた情報処理装置に設けられているイジェクト操作釦が操作されると、駆動モータ２２２が逆転駆動され、駆動ギヤ２２６が図１３中矢印Ｇ方向へ回転され押圧突部２２６ａによってスライドレバー１６３の係合片１６４が後方へ押圧される。スライドレバー１６３は、図２２に示すように、コイルバネ１７７の付勢力に抗して後方にスライドしながら、押圧部１７４でスライダ８を図２３中反矢印Ｄ方向にスライドさせていく。
【０１４２】
スライダ８が後方へ移動されていくと、図１５に示すように、カートリッジホルダ６のガイド突部９８，９９が、それぞれホルダガイド溝１３７，１３８の下側水平部１３７ａ，１３８ａから傾斜部１３７ｂ，１３８ｂを経て上側水平部１３７ｃ，１３８ｃまで移動され、ベースシャーシ７と離間されていく。このとき、カートリッジホルダ６は、ガイド突部９９がガイドシャーシ９のガイド壁１５４，１５５に形成された垂直ガイド溝１５９，１６０にガイドされるため、前後方向にスライドすることなく、確実に上昇される。カートリッジホルダ６がベースシャーシ７と離間する方向に移動されることにより、カートリッジホルダ６とカバー４３とのクリアランスは、最小の値（例えば略０．１ｍｍ）となり、このクリアランス内にカートリッジホルダ６の天板８２上に配設されている磁気ヘッド装置７１が配設される。ここで、ディスクカートリッジ５がイジェクトされた状態においては、磁気ヘッド装置７１が駆動されることはないため、磁気ヘッド装置７１を収納するのに必要なスペースは確保されている。
【０１４３】
また、スライダ８が後方へ移動されていくと、同時にベースシャーシ７のガイド軸７９，８０がそれぞれベースガイド溝１３９，１４０の上側水平部１３９ａ，１４０ａから傾斜部１３９ｂ，１４０ｂを経て下側水平部１３９ｃ，１４０ｃまで移動されカートリッジホルダ６と離間される。このとき、ベースシャーシ７は、ガイド軸８０がガイドシャーシ９のガイド壁１５４，１５５に形成された垂直ガイド溝１５９，１６０にガイドされるため、前後方向にスライドすることなく、上昇される。ベースシャーシ７がカートリッジホルダ６と離間する方向に移動されることにより、ベースシャーシ７と取付部材４２に配設されたプリント配線基板２５６とのクリアランスは最小の値（例えば略０．１ｍｍ）となり、このクリアランス内に光学ブロック６５とプリント配線基板２５６とを接続するフレキシブル回路基板７７が配設される。ここで、ディスクカートリッジ５がイジェクトされた状態においては、光学ブロック６５が駆動されることはないため、フレキシブル回路基板７７を収納するのに必要なスペースは確保されている。
【０１４４】
また、スライダ８が後方にスライドされることにより、イジェクトレバー１４７は、ローラ１５２と当設している規制片１３３も後方にスライドされてローラ１５２の回動軌跡上より退避されるため、図２３中矢印Ｒ方向への回動の規制が解除される。したがって、イジェクトレバー１４７は、捻りコイルバネ１４８に付勢されて、ローラ１５２が規制片１３３の側面部１３３ｂから前面部１３３ａ側へ転動されながら図２３中矢印Ｒ方向へ回動される。これにより、イジェクトレバー１４７は、当接部１５０に当接されているディスクカートリッジ５をカートリッジ挿脱口８９側へ押し出す。
【０１４５】
ここで、スライダ８は、後方にスライドされるにつれて、先ずスライダ８に形成されているホルダガイド溝１３７，１３８及びベースガイド溝１３９，１４０によってカートリッジホルダ６とベースシャーシ７とを離間させ、次いでイジェクト部材１４７のローラ１５２と規制片１３３の前面部１３３ｂとの係合が解除するように形成されている。すなわち、スライダ８のホルダガイド溝１３７，１３８及びベースガイド溝１３９，１４０は、カートリッジホルダ６及びベースガイド７を近接離間するようにガイドする傾斜部１３７ｂ〜１４０ｂを設けると共に、傾斜部１３７ｂ〜１４０ｂの上下端部に、それぞれ水平方向に上側水平部１３７ｃ，１３８ｃ，１３９ａ，１４０ａ及び下側水平部１３７ａ，１３８ａ，１３９ｃ，１４０ｃを設け、カートリッジホルダ６及びベースガイド７を近接離間した後、さらにスライダ８がスライド可能とされている。
【０１４６】
そして、スライダ８は、後方にスライドされることにより傾斜部１３７ｂ〜１４０ｂによってカートリッジホルダ６及びベースシャーシ７を離間させた後、さらに後方にスライドすることにより、イジェクト部材１４７の回動を規制している規制片１３３の側面部１３３ａとローラ１５２との当接が外れるように形成されている。したがって、スライダ８が後方にスライドされると、先ずカートリッジホルダ６が挿脱位置まで上昇され、その後イジェクト部材１４７が回動されてディスクカートリッジ５が排出される。これにより、カートリッジホルダ６が挿脱位置まで上昇される前にディスクカートリッ５がイジェクト部材１４７に押し出され、ディスクカートリッジ５とベースシャーシ７に設けられたディスク回転駆動機構５９とが係合されたままディスクカートリッジ５が押し出される事態や、ディスクカートリッジ５が記録再生装置１やホスト機器となる情報処理装置等のカートリッジ排出口の近傍に衝突される事態を防止することができる。
【０１４７】
このように、カートリッジホルダ６は挿脱位置まで移動されているため、イジェクト部材１４７が図２３中矢印Ｒ方向へ回動されることにより、当接部１５０によってディスクカートリッジ５のカートリッジ本体１４の前面１４ｂが前方へ押圧されディスクカートリッジ５の一部が記録再生装置１から排出される。
【０１４８】
ディスクカートリッジ５がカートリッジホルダ６から排出されるとき、シャッタ部材２１の係合孔にシャッタ保持片９３の係合突部９４が係合されているため、シャッタ部材２１が図２中反矢印Ｂ方向にスライドされてカートリッジ本体１４に形成された記録再生用開口部１８，１９が閉塞される。
【０１４９】
第１の駆動ギヤ２２６は、駆動モータ２２２より引き続き図１３中矢印Ｇ方向に回転され、これにより、駆動ギヤ２２６の押圧突部２２６ａは、スライドレバー１６３の係合片１６４との当接が外れる。スライドレバー１６３は、ガイドシャーシ９との間に懸架されているコイルバネ１７７によってガイドシャーシ９の前方へスライドされ、初期位置に戻される。
【０１５０】
このように、本発明が適用された記録再生装置１のイジェクト部材１４７によれば、カートリッジ挿脱口８９側へ回動付勢する捻りコイルバネ１４８は、ガイドシャーシ９の主面部１５３より折り曲げ形成されている取付片１５６に突設された回動軸１６２に挿通され、その高さもガイドシャーシ９のガイド壁１５４，１５５の高さ以下とされているため、装置全体の厚さに影響することがなく、装置本体２の薄型化に資することができる。
【０１５１】
また、イジェクト部材１４７を回動付勢する捻りコイルバネ１４８は、一端を当接部１５０に係止されると共に、他端を固定部材であるガイドシャーシ９のバネ係止壁１５３ａに係止されている。したがって、イジェクト部材１４７を回動させる付勢力がガイドシャーシ９とイジェクト部材１４７との間に配設された捻りコイルバネ１４８によって発生しているため、イジェクト部材とスライダとの間に引っ張りコイルバネを架け渡す従来のイジェクト機構に比して、このイジェクト部材１４７は、スライダ８やスライダ８に摺動自在に係合するカートリッジホルダ６及びベースシャーシ７に加わる捻りコイルバネ１４８の負荷が低減され、スライダ８のスライド動作及びカートリッジホルダ６とベースシャーシ７との近接又は離間がスムーズに行われる。
【０１５２】
さらに、イジェクト部材１４７は、回動付勢方向とディスクカートリッジ５の排出方向とが同方向とされるため、捻りコイルバネ１４８の付勢力を効率よく当接部１５０に伝える。したがって、捻りコイルバネ１４８の力量を低減させることができ、イジェクト部材１４７と係合するスライダ８及びカートリッジホルダ６とベースシャーシ７とに加わる負荷を低減させ、これらのスムーズな移動を図ることができる。また、捻りコイルバネ１４８の力量を低減することにより、ディスクカートリッジ５の挿入時においてもカートリッジ本体１４によりイジェクトレバー１４７を押し込む力を低減でき、挿入感を向上させることができる。
【０１５３】
また、イジェクト部材１４７は、規制部１５１の先端にローラ１５２を設け、これをスライダ６の規制片１３３に転動させるものであるため、イジェクト部材１４７の規制部１５１とスライダ８の規制片１３３との摺動摩擦を低減することができ、これらのスムーズな移動を図ることができる。
【０１５４】
また、記録再生装置１によれば、ディスクカートリッジ５を保持するカートリッジホルダ６とともに、光ピックアップ装置６４が配設されたベースシャーシ７を互いに近接離間させる方向に移動させることができるため、光ピックアップ装置６４の光学ブロック６５を駆動させない状態においてはベースシャーシ７と取付部材４２に配設されたプリント配線基板２５６とのクリアランスを、光学ブロック６５と共に移動されるフレキシブル回路基板７７を収納するに必要な高さに抑えることができる。
【０１５５】
従って、ディスクカートリッジを保持するカートリッジホルダのみが上下方向に移動され、光ピックアップ装置が配設されたベースシャーシは固定された装置においては、光ピックアップと装置本体の下面部との間に、常にフレキシブル回路基板の移動に十分なクリアランスを確保する必要があるのに対して、本発明によれば、フレキシブル回路基板７７を収納するのに必要なクリアランスを確保すれば足りるため、装置本体２の高さを抑えることができ、装置本体２の薄型化を図ることができ、装置本体２の携帯性を向上させることができる。
【０１５６】
また、この記録再生装置１は、ディスクカートリッジ５が挿入されると、カートリッジホルダ６の下降量よりもベースシャーシ７の上昇量が大きく形成されている。したがって、記録再生装置１は、カートリッジ挿脱口８９何ディスクカートリッジ５を挿入させたユーザの指等の障害物が挿入されたときにも、カートリッジホルダ６が下降されないことによるチャキング不良を防止でき、ベースシャーシ７が上昇することによりディスクカートリッジ５を装着部５２に装着させることができる。
【０１５７】
さらに、ベースシャーシ７には挿通開口７６が形成され、ガイドシャーシ９に設けられたギア列及び駆動モータが挿通可能とされれているため、ベースシャーシ７がガイドシャーシ９側へ下降されたときにはベースシャーシ７の主面部上にギア列及び駆動モータを臨ませることで、ギヤ列及び駆動モータが有する高さ分のクリアランスを設ける必要がなく、また、ベースシャーシ７がガイドシャーシ９より上昇されたときにはベースシャーシ７の主面部よりギア列及び駆動モータが退避され、ディスクカートリッジ５と干渉することがない。
【０１５８】
また、スライダ８は、ディスクカートリッジ５の排出時に、先ずカートリッジホルダ６とベースシャーシ７とを離間させ排出位置に移動させた後に、イジェクト部材１４７を回動させる。したがって、カートリッジホルダ６が挿脱位置まで上昇される前にディスクカートリッジ５がイジェクト部材１４７に押し出され、ディスクカートリッジ５とベースシャーシ７のディスク回転駆動機構５９とが係合されたままディスクカートリッジ５が押し出される事態を防止することができる。
【０１５９】
また、本発明が適用された記録再生装置１によれば、カートリッジホルダ６とともに、光ピックアップ装置６４が配設されたベースシャーシ７を移動させるため、カートリッジホルダのみが上下方向に移動され、ベースシャーシは固定された装置に比して、ローディングに要する時間が短くてすむ。
【０１６０】
また、本発明が適用された記録再生装置１は、一のスライダー８をスライドさせることによりカートリッジホルダ６及びベースシャーシ７を近接離間させることができるため、カートリッジホルダ及びベースシャーシを別個に移動させるローディング機構に比して部品点数を削減することができる。
【０１６１】
以上、光磁気ディスク４を記録媒体に用いるディスクカートリッジ５の記録再生装置１を例に取り説明したが、本発明は、光ディスクやフレキシブル磁気ディスクを記録媒体に用いるディスクカートリッジの記録再生装置にも適用することができる。
【０１６２】
また、上記記録再生装置１においては、ベースシャーシ７と共にディスクカートリッジ５を保持したカートリッジホルダ６も互いに近接離間する方向へ移動するように構成されているが、本発明に係る記録再生装置は、ベースシャーシ７のみをカートリッジホルダ６側へ移動可能とし、カートリッジホルダ６は移動しないように構成してもよい。
【０１６３】
この場合、スライダ８の側面部１２８，１２９にはホルダガイド溝１３７，１３８は形成されず、ベースガイド溝１３９，１４０のみが形成される。ベースガイド溝１３９，１４０は、カートリッジ５の排出時にはベースシャーシ７に設けられたスピンドルモータ６１や光学ブロック６５をカートリッジ５の移動軌跡上より退避させ、またカートリッジ５の挿入時にはカートリッジホルダ６内に保持されたカートリッジ５の光学ディスク４と確実に装着できる高さ分だけベースシャーシ７を昇降させるように形成される。また、カートリッジホルダ６は、ベースシャーシ７側へ近接離間されることなく固定されているため、予めカバー４３との間に磁気ヘッド装置７１が稼働するに十分なクリアランスを設けて配設されている。
【０１６４】
これにより、スライダ８の移動に応じてベースシャーシ７のみがカートリッジホルダ６側へ近接又は離間し、カートリッジホルダ６は移動しないため、カートリッジ挿脱口８９内にディスクカートリッジを挿入させたユーザの指等がディスクカートリッジ５のローディングの障害となることがない。
【図面の簡単な説明】
【０１６５】
【図１】本発明が適用された記録再生装置を示す斜視図である。
【図２】ディスクカートリッジを示す斜視図である。
【図３】記録再生機構を示す斜視図である。
【図４】記録再生機構を示す分解斜視図である。
【図５】ベースシャーシを示す斜視図である。
【図６】磁気ヘッド装置が取り付けられた光ピックアップ装置を示す斜視図である。
【図７】スライダー及びカートリッジホルダを示す斜視図である。
【図８】記録再生機構を示す平面図である。
【図９】スライダー、カートリッジホルダ及びベースシャーシが組み付けられた組立体を示す斜視図である。
【図１０】ガイドシャーシを示す斜視図である。
【図１１】記録操作中のギヤ機構を示す図である。
【図１２】記録操作中の記録再生機構を示す図である。
【図１３】イジェクト操作中のギヤ機構を示す図である。
【図１４】ディスクカートリッジを排出操作中の記録再生機構を示す図である。
【図１５】カートリッジホルダとディスク基板とが離間した状態を示す断面図である。
【図１６】ディスクカートリッジが挿入されていない状態及び再生操作中におけるギヤ機構を示す図である。
【図１７】ディスクカートリッジが挿入されていない状態における記録再生機構を示す図である。
【図１８】再生操作中の記録再生装置を示す図である。
【図１９】カートリッジホルダとディスク基板とが近接した状態を示す断面図である。
【図２０】再生操作中の記録再生装置を示す図である。
【図２１】記録操作中の記録再生機構を示す図である。
【図２２】ディスクカートリッジの排出動作中の記録再生装置を示す図である。
【図２３】ディスクカートリッジが排出されたときの記録再生機構を示す図である。
【図２４】従来の記録再生装置を構成するディスクカートリッジが装着される記録再生機構の斜視図である。
【図２５】従来の記録再生機構を構成するディスク回転駆動機構、光ピックアップ装置等が組み込まれたベースの斜視図である。
【図２６】ベースに取り付けられるイジェクト部材を説明する斜視図である。
【図２７】各部が動作される前の初期状態を示す側面図である。
【図２８】ディスクカートリッジがホルダからイジェクトされスライダが前方へ移動された状態を示す平面図である。
【図２９】スライダが後方側の移動端まで移動された状態を示す平面図である。
【図３０】駆動ギヤが他方向へ回転されて、イジェクト操作部材が前方側の移動端まで移動された状態を示す側面図である。
【図３１】従来の記録再生機構に生じる側圧を説明するための図である。
【符号の説明】
【０１６６】
１  記録再生装置、２  装置本体、３  記録再生機構、４  光磁気ディスク、５  ディスクカートリッジ、６  カートリッジホルダ、７  ベースシャーシ、８  スライダ、９  ガイドシャーシ、２９  位置決め凹部、４２  取付部材、４３  カバー、５２  装着部、５３  位置決めピン、５９  ディスク回転駆動機構、６４  光ピックアップ装置、６５  光学ブロック、６７  ピックアップ用開口部、７１  磁気ヘッド装置、７２  連結部材、７３  磁気ヘッド部、７４  ヘッド支持アーム、７５  アーム支持板、７６  挿通開口、７７  フレキシブル回路基板、７８  側壁、７９，８０  ガイド軸、８２  天板部、８５，８６  側壁、８９  カートリッジ挿脱口、９６  ヘッド挿入用開口部、９８，９９  ガイド突部、１０１  ヘッド昇降機構、１０２  昇降操作板、１０３  操作レバー、１０４  回動操作板、１０５  支持アーム、１１４  操作突部、１１５  アーム部、１２５  連結部、１２６，１２７  延設部、１２８，１２９  側面部、１３３  規制片、１３５，１３６  ガイドピン、１３７，１３８  ホルダガイド溝、１３９，１４０  ベースガイド溝、１４４  被押圧片、１４７  イジェクト部材、１４８  捻りコイルバネ、１４９  回動部、１５０  当接部、１５１  規制部、１５２  ローラ、１５４，１５５  ガイド壁、１５７，１５８  水平ガイド溝、１５９，１６０  垂直ガイド溝、１６３  スライドレバー、１７４  押圧部、１８０  リンク機構、１８１  駆動レバー、１８８  被押圧部、１９１  リミットレバー、２０２  昇降レバー、２０３  係合部、２１１  リミッタバネ、２２１  駆動機構、２２６  第１のギヤ、２２７  第２のギヤ、２５３，２５６  プリント配線基板
【図１】
2005050463.tif 000003
【図２】
2005050463.tif 000004
【図３】
2005050463.tif 000005
【図４】
2005050463.tif 000006
【図５】
2005050463.tif 000007
【図６】
2005050463.tif 000008
【図７】
2005050463.tif 000009
【図８】
2005050463.tif 000010
【図９】
2005050463.tif 000011
【図１０】
2005050463.tif 000012
【図１１】
2005050463.tif 000013
【図１２】
2005050463.tif 000014
【図１３】
2005050463.tif 000015
【図１４】
2005050463.tif 000016
【図１５】
2005050463.tif 000017
【図１６】
2005050463.tif 000018
【図１７】
2005050463.tif 000019
【図１８】
2005050463.tif 000020
【図１９】
2005050463.tif 000021
【図２０】
2005050463.tif 000022
【図２１】
2005050463.tif 000023
【図２２】
2005050463.tif 000024
【図２３】
2005050463.tif 000025
【図２４】
2005050463.tif 000026
【図２５】
2005050463.tif 000027
【図２６】
2005050463.tif 000028
【図２７】
2005050463.tif 000029
【図２８】
2005050463.tif 000030
【図２９】
2005050463.tif 000031
【図３０】
2005050463.tif 000032
【図３１】
2005050463.tif 000033